(57)【特許請求の範囲】
【請求項１】
方法であって、
公称チャネル帯域幅のうちの所定の割合以上を占有する帯域幅の一部において一様に分布した少なくとも１組のリソースブロックを備えるアップリンクリソースブロック構成を決定すること、ここにおいて、前記少なくとも１組のリソースブロックは、所定のリソースブロックの最小レベルインターリービング粒度で、前記公称チャネル帯域幅のために使用可能な帯域幅においてチャネルを多重化したリソースブロックである、と、
前記少なくとも１組の前記リソースブロックのためにサウンド基準信号（ＳＲＳ）またはチャネル使用ビーコン信号（ＣＵＢＳ）のうちの１つの割当てを受信することと、
ここにおいて、前記ＳＲＳのためのコードシーケンスが区分される、
前記少なくとも１組の前記リソースブロックにおいて送信を送ることと
を備える方法。
【請求項２】
前記少なくとも１組のリソースブロックの各々が１つのサブフレーム上のＰＵＳＣＨ、ＰＵＣＣＨ、またはＰＲＡＣＨのうちの１つに割り当てられる、請求項１に記載の方法。
【請求項３】
前記送信を送ることが、
複数のＯＦＤＭシンボル上で、および前記少なくとも１組の前記リソースブロックにおいて前記ＳＲＳまたは前記ＣＵＢＳのうちの少なくとも１つを送ることを備える、請求項１に記載の方法。
【請求項４】
前記少なくとも１つのリソースブロックが、複数のモバイルデバイスに割り振られる直交するリソースブロックの組を備える、請求項１に記載の方法。
【請求項５】
前記少なくとも１つのリソースブロックが、直交するリソースブロックの組を備え、前記直交するリソースブロックの組のうちの各直交するリソースブロックの組が複数のモバイルデバイスに割り当てられ、ＰＵＳＣＨが前記複数のモバイルデバイスの中で空間多重化され、ＰＤＣＣＨ、前記ＳＲＳ、またはＰＲＡＣＨのうちの少なくとも１つが前記複数のモバイルデバイスの中で符号分割多重化される、請求項１に記載の方法。
【請求項６】
ＰＲＡＣＨ送信または前記ＳＲＳのために確保された１組のリソースブロックにおいて前記ＰＲＡＣＨ送信または前記ＳＲＳのうちの少なくとも１つを送信することをさらに備える、請求項１に記載の方法。
【請求項７】
前記アップリンクリソースブロック構成が直交周波数分割多重化に基づく、請求項１に記載の方法。
【請求項８】
装置であって、
公称チャネル帯域幅のうちの所定の割合以上を占有する帯域幅の一部において一様に分布した少なくとも１組のリソースブロックを備えるアップリンクリソースブロック構成を決定するための手段、ここにおいて、前記少なくとも１組のリソースブロックは、所定のリソースブロックの最小レベルインターリービング粒度で、前記公称チャネル帯域幅のために使用可能な帯域幅においてチャネルを多重化したリソースブロックである、と、
前記少なくとも１組の前記リソースブロックのためにサウンド基準信号（ＳＲＳ）またはチャネル使用ビーコン信号（ＣＵＢＳ）のうちの１つの割当てを受信するための手段と、
ここにおいて、前記ＳＲＳのためのコードシーケンスが区分される、
前記少なくとも１組の前記リソースブロックにおいて送信を送るための手段と
を備える装置。
【請求項９】
装置であって、
公称チャネル帯域幅のうちの所定の割合以上を占有する帯域幅の一部において一様に分布した少なくとも１組のリソースブロックを備えるアップリンクリソースブロック構成を決定するために構成された少なくとも１つのプロセッサ、ここにおいて、前記少なくとも１組のリソースブロックは、所定のリソースブロックの最小レベルインターリービング粒度で、前記公称チャネル帯域幅のために使用可能な帯域幅においてチャネルを多重化したリソースブロックである、と、
前記少なくとも１組の前記リソースブロックのためにサウンド基準信号（ＳＲＳ）またはチャネル使用ビーコン信号（ＣＵＢＳ）のうちの１つの割当てを受信することと、ここにおいて、前記ＳＲＳのためのコードシーケンスが区分される、
前記少なくとも１組の前記リソースブロックにおいて送信を送ることと
を行うために構成されたトランシーバと、
前記少なくとも１つのプロセッサに結合されたメモリと
を備える装置。
【請求項１０】
命令を記憶する非一時的コンピュータ可読媒体であって、前記命令が、
少なくとも１つのコンピュータによって実行されたとき、前記少なくとも１つのコンピュータに、
公称チャネル帯域幅のうちの所定の割合以上を占有する帯域幅の一部において一様に分布した少なくとも１組のリソースブロックを備えるアップリンクリソースブロック構成を決定させ、、ここにおいて、前記少なくとも１組のリソースブロックは、所定のリソースブロックの最小レベルインターリービング粒度で、前記公称チャネル帯域幅のために使用可能な帯域幅においてチャネルを多重化したリソースブロックである、
前記少なくとも１組の前記リソースブロックのためにサウンド基準信号（ＳＲＳ）またはチャネル使用ビーコン信号（ＣＵＢＳ）のうちの１つの割当てを受信させ、
ここにおいて、前記ＳＲＳのためのコードシーケンスが区分される、
前記少なくとも１組の前記リソースブロックにおいて送信を送らせる
１つまたは複数の命令を備える非一時的コンピュータ可読媒体。
【請求項１１】
方法であって、
チャネル帯域幅の端部に第１の組の動的にスケジュールされたリソースブロックと、第２の組のリソースブロックとを備えるアップリンクリソースブロック構成を決定することと、前記アップリンクリソースブロック構成が、公称チャネル帯域幅のうちの所定の割合以上を占有し、前記第１の組のリソースブロックおよび第２の組のリソースブロックは、所定のリソースブロックの最小レベルインターリービング粒度で、前記公称チャネル帯域幅のために使用可能な帯域幅においてチャネルを多重化したリソースブロックである、する、
前記第１の組の動的にスケジュールされたリソースブロックまたは前記第２の組のリソースブロックのうちの少なくとも１つにおける少なくとも１つのリソースブロックのためにサウンド基準信号（ＳＲＳ）またはチャネル使用ビーコン信号（ＣＵＢＳ）のうちの１つの割当てを受信することと、
ここにおいて、前記ＳＲＳのためのコードシーケンスが区分される、
前記少なくとも１つのリソースブロックにおいて送信を送ることと
を備える方法。
【請求項１２】
前記第２の組のリソースブロックが、ブロードキャストメッセージ中でシグナリングされ、
モバイルデバイスが、ＲＲＣ構成または（ｅ）ＰＤＣＣＨシグナリングに基づいて前記少なくとも１つのリソースブロックにおいて送信するように構成される
請求項１１に記載の方法。
【請求項１３】
前記第２の組のリソースブロックが、ユニキャストメッセージ中でシグナリングされ、
モバイルデバイスが、（ｅ）ＰＤＣＣＨシグナリングに基づいて前記少なくとも１つのリソースブロックにおいて送信するように構成される
請求項１１に記載の方法。
【請求項１４】
前記少なくとも１つのリソースブロックがＰＵＳＣＨ、ＰＵＣＣＨ、またはＰＲＡＣＨのうちの１つに割り当てられる、請求項１１に記載の方法。
【請求項１５】
前記第２の組のリソースブロックが、複数のモバイルデバイス間で多重化される、請求項１１に記載の方法。
【請求項１６】
前記第２の組のリソースブロックが、符号分割多元接続に基づいて前記複数のモバイルデバイス間で多重化される、請求項１５に記載の方法。
【請求項１７】
装置であって、
チャネル帯域幅の端部に第１の組の動的にスケジュールされたリソースブロックと、第２の組のリソースブロックとを備えるアップリンクリソースブロック構成を決定するための手段と、前記アップリンクリソースブロック構成が、公称チャネル帯域幅のうちの所定の割合以上を占有し、前記第１の組のリソースブロックおよび第２の組のリソースブロックは、所定のリソースブロックの最小レベルインターリービング粒度で、前記公称チャネル帯域幅のために使用可能な帯域幅においてチャネルを多重化したリソースブロックである、、
前記第１の組の動的にスケジュールされたリソースブロックまたは前記第２の組のリソースブロックのうちの少なくとも１つにおける少なくとも１つのリソースブロックのためにサウンド基準信号（ＳＲＳ）またはチャネル使用ビーコン信号（ＣＵＢＳ）のうちの１つの割当てを受信するための手段と、
ここにおいて、前記ＳＲＳのためのコードシーケンスが区分される、
前記少なくとも１つのリソースブロックにおいて送信を送るための手段と
を備える装置。
【請求項１８】
装置であって、
チャネル帯域幅の端部に第１の組の動的にスケジュールされたリソースブロックと、第２の組のリソースブロックとを備えるアップリンクリソースブロック構成を決定するために構成された少なくとも１つのプロセッサと、前記アップリンクリソースブロック構成が、公称チャネル帯域幅のうちの所定の割合以上を占有し、前記第１の組のリソースブロックおよび第２の組のリソースブロックは、所定のリソースブロックの最小レベルインターリービング粒度で、前記公称チャネル帯域幅のために使用可能な帯域幅においてチャネルを多重化したリソースブロックである、、
前記第１の組の動的にスケジュールされたリソースブロックまたは前記第２の組のリソースブロックのうちの少なくとも１つにおける少なくとも１つリソースブロックのためにサウンド基準信号（ＳＲＳ）またはチャネル使用ビーコン信号（ＣＵＢＳ）のうちの１つの割当てを受信することと、
ここにおいて、前記ＳＲＳのためのコードシーケンスが区分される、
前記少なくとも１つのリソースブロックにおいて送信を送ることと
を行うために構成されたトランシーバと、
前記少なくとも１つのプロセッサに結合されたメモリと
を備える装置。
【請求項１９】
命令を記憶する非一時的コンピュータ可読媒体であって、前記命令は、
少なくとも１つのコンピュータによって実行されたとき、前記少なくとも１つのコンピュータに、
チャネル帯域幅の端部に第１の組の動的にスケジュールされたリソースブロックと、第２の組のリソースブロックとを備えるアップリンクリソースブロック構成を決定させ、前記アップリンクリソースブロック構成が、公称チャネル帯域幅のうちの所定の割合以上を占有し、前記第１の組のリソースブロックおよび第２の組のリソースブロックは、所定のリソースブロックの最小レベルインターリービング粒度で、前記公称チャネル帯域幅のために使用可能な帯域幅においてチャネルを多重化したリソースブロックである、、
前記第１の組の動的にスケジュールされたリソースブロックまたは前記第２の組のリソースブロックのうちの少なくとも１つにおける少なくとも１つリソースブロックのためにサウンド基準信号（ＳＲＳ）またはチャネル使用ビーコン信号（ＣＵＢＳ）のうちの１つの割当てを受信させ、
ここにおいて、前記ＳＲＳのためのコードシーケンスが区分される、
前記少なくとも１つのリソースブロックにおいて送信を送らせる
１つまたは複数の命令を備える非一時的コンピュータ可読媒体。
【請求項２０】
前記少なくとも１組のリソースブロックの各々が１つのサブフレーム上のＰＵＳＣＨ、ＰＵＣＣＨ、またはＰＲＡＣＨのうちの１つに割り当てられる、請求項８に記載の装置。
【請求項２１】
前記送信を前記送るための手段が、
複数のＯＦＤＭシンボル上で、および前記少なくとも１組の前記リソースブロックにおいて前記ＳＲＳまたは前記ＣＵＢＳのうちの少なくとも１つを送るための手段を備える、請求項８に記載の装置。
【請求項２２】
前記少なくとも１つのリソースブロックが、複数のモバイルデバイスに割り振られる直交するリソースブロックの組を備える、請求項８に記載の装置。
【請求項２３】
前記少なくとも１つのリソースブロックが、直交するリソースブロックの組を備え、各組が複数のモバイルデバイスに割り当てられ、ＰＵＳＣＨが前記複数のモバイルデバイスの中で空間多重化され、ＰＤＣＣＨ、前記ＳＲＳ、またはＰＲＡＣＨのうちの少なくとも１つが前記複数のモバイルデバイスの中で符号分割多重化される、請求項８に記載の装置。
【請求項２４】
ＰＲＡＣＨ送信または前記ＳＲＳのために確保された１組のリソースブロックにおいて前記ＰＲＡＣＨ送信または前記ＳＲＳのうちの少なくとも１つを送信するための手段をさらに備える、請求項８に記載の装置。
【請求項２５】
前記アップリンクリソースブロック構成が直交周波数分割多重化に基づく、請求項８に記載の装置。
【請求項２６】
前記少なくとも１組のリソースブロックの各々が１つのサブフレーム上のＰＵＳＣＨ、ＰＵＣＣＨ、またはＰＲＡＣＨのうちの１つに割り当てられる、請求項１０に記載の非一時的コンピュータ可読媒体。
【請求項２７】
前記送信を送るための前記１つまたは複数の命令が、
複数のＯＦＤＭシンボル上で、および前記少なくとも１組の前記リソースブロックにおいて前記ＳＲＳまたは前記ＣＵＢＳのうちの少なくとも１つを送るための１つまたは複数の命令を備える、請求項１０に記載の非一時的コンピュータ可読媒体。
【請求項２８】
前記少なくとも１つのリソースブロックが、複数のモバイルデバイスに割り振られる直交するリソースブロックの組を備える、請求項１０に記載の非一時的コンピュータ可読媒体。
【請求項２９】
前記少なくとも１つのリソースブロックが、直交するリソースブロックの組を備え、各組が複数のモバイルデバイスに割り当てられ、ＰＵＳＣＨが前記複数のモバイルデバイスの中で空間多重化され、ＰＤＣＣＨ、前記ＳＲＳ、またはＰＲＡＣＨのうちの少なくとも１つが前記複数のモバイルデバイスの中で符号分割多重化される、請求項１０に記載の非一時的コンピュータ可読媒体。
【請求項３０】
前記命令が、
前記少なくとも１つのコンピュータによって実行されたとき、前記少なくとも１つのコンピュータに、
ＰＲＡＣＨ送信または前記ＳＲＳのために確保された１組のリソースブロックにおいて前記ＰＲＡＣＨ送信または前記ＳＲＳのうちの少なくとも１つを送信させる１つまたは複数の命令をさらに備える、請求項１０に記載の非一時的コンピュータ可読媒体。
【請求項３１】
前記アップリンクリソースブロック構成が直交周波数分割多重化に基づく、請求項１０に記載の非一時的コンピュータ可読媒体。
【請求項３２】
前記第２の組のリソースブロックが、ブロードキャストメッセージ中でシグナリングされ、
モバイルデバイスが、ＲＲＣ構成または（ｅ）ＰＤＣＣＨシグナリングに基づいて前記少なくとも１つのリソースブロックにおいて送信するように構成される
請求項１７に記載の装置。
【請求項３３】
前記第２の組のリソースブロックが、ユニキャストメッセージ中でシグナリングされ、
モバイルデバイスが、（ｅ）ＰＤＣＣＨシグナリングに基づいて前記少なくとも１つのリソースブロックにおいて送信するように構成される
請求項１７に記載の装置。
【請求項３４】
前記少なくとも１つのリソースブロックがＰＵＳＣＨ、ＰＵＣＣＨ、またはＰＲＡＣＨのうちの１つに割り当てられる、請求項１７に記載の装置。
【請求項３５】
前記第２の組のリソースブロックが、複数のモバイルデバイス間で多重化される、請求項１７に記載の装置。
【請求項３６】
前記第２の組のリソースブロックが、符号分割多元接続に基づいて前記複数のモバイルデバイス間で多重化される、請求項３５に記載の装置。
【請求項３７】
前記第２の組のリソースブロックが、ブロードキャストメッセージ中でシグナリングされ、
モバイルデバイスが、ＲＲＣ構成または（ｅ）ＰＤＣＣＨシグナリングに基づいて前記少なくとも１つのリソースブロックにおいて送信するように構成される
請求項１８に記載の装置。
【請求項３８】
前記第２の組のリソースブロックが、ユニキャストメッセージ中でシグナリングされ、
モバイルデバイスが、（ｅ）ＰＤＣＣＨシグナリングに基づいて前記少なくとも１つのリソースブロックにおいて送信するように構成される
請求項１８に記載の装置。
【請求項３９】
前記少なくとも１つのリソースブロックがＰＵＳＣＨ、ＰＵＣＣＨ、またはＰＲＡＣＨのうちの１つに割り当てられる、請求項１８に記載の装置。
【請求項４０】
前記第２の組のリソースブロックが、複数のモバイルデバイス間で多重化される、請求項１８に記載の装置。
【請求項４１】
前記第２の組のリソースブロックが、符号分割多元接続に基づいて前記複数のモバイルデバイス間で多重化される、請求項４０に記載の装置。
【請求項４２】
前記第２の組のリソースブロックが、ブロードキャストメッセージ中でシグナリングされ、
モバイルデバイスが、ＲＲＣ構成または（ｅ）ＰＤＣＣＨシグナリングに基づいて前記少なくとも１つのリソースブロックにおいて送信するように構成される
請求項１９に記載の非一時的コンピュータ可読媒体。
【請求項４３】
前記第２の組のリソースブロックが、ユニキャストメッセージ中でシグナリングされ、
モバイルデバイスが、（ｅ）ＰＤＣＣＨシグナリングに基づいて前記少なくとも１つのリソースブロックにおいて送信するように構成される
請求項１９に記載の非一時的コンピュータ可読媒体。
【請求項４４】
前記少なくとも１つのリソースブロックがＰＵＳＣＨ、ＰＵＣＣＨ、またはＰＲＡＣＨのうちの１つに割り当てられる、請求項１９に記載の非一時的コンピュータ可読媒体。
【請求項４５】
前記第２の組のリソースブロックが、複数のモバイルデバイス間で多重化される、請求項１９に記載の非一時的コンピュータ可読媒体。
【請求項４６】
前記第２の組のリソースブロックが、符号分割多元接続に基づいて前記複数のモバイルデバイス間で多重化される、請求項４５に記載の非一時的コンピュータ可読媒体。
【発明の詳細な説明】
【技術分野】
【０００１】
関連出願の相互参照
[0001]本出願は、２０１３年９月２３日に出願された「ＬＴＥ−Ｕ  ＵＰＬＩＮＫ  ＷＡＶＥＦＯＲＭ」と題する米国仮特許出願第６１／８８１，３８１号と、２０１３年９月２３日に出願された「ＶＡＲＩＡＢＬＥ  ＭＵＬＴＩ−ＳＵＢＦＲＡＭＥ  ＳＣＨＥＤＵＬＩＮＧ」と題する米国仮特許出願第６１／８８１，２９９号との利益を主張する。上述の出願の全体は参照により本明細書に組み込まれる。
【０００２】
[0002]本開示の態様は、一般にワイヤレス通信システムに関し、より詳細には、ロングタームエボリューション−無認可（ＬＴＥ−Ｕ）通信システムにおけるＬＴＥ−Ｕアップリンク波形および可変マルチサブフレームスケジューリングを使用した送信のための方法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることのできる多元接続ネットワークであり得る。通常、多元接続ネットワークである、そのようなネットワークは、利用可能なネットワークリソースを共有することによって複数のユーザのための通信をサポートする。そのようなネットワークの一例は、ユニバーサル地上波無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイルフォン技術である、ユニバーサルモバイルテレコミュニケーションシステム（ＵＭＴＳ）の一部として定義された無線アクセスネットワーク（ＲＡＮ）である。多元接続ネットワークフォーマットの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークが含まれる。
【０００４】
[0004]ワイヤレス通信ネットワークは、いくつかのユーザ機器（ＵＥ）のための通信をサポートすることができるいくつかのアクセスポイント、基地局またはノードＢを含み得る。ＵＥの多くは、たとえば、移動局（ＳＴＡ）、ラップトップ、セルフォン、ＰＤＡ、タブレットなどを含む。ＵＥは、ダウンリンクおよびアップリンクを介して基地局と通信することができる。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータと制御情報とを送信することができ、および／またはＵＥからアップリンク上でデータと制御情報とを受信することができる。ダウンリンク上では、基地局からの送信は、近隣基地局からの送信による干渉、または他のワイヤレス無線周波数（ＲＦ）送信機からの送信による干渉に遭遇する場合がある。アップリンク上では、ＵＥからの送信は、近隣基地局と通信する他のＵＥのアップリンク送信からの干渉、または他のワイヤレスＲＦ送信機からの干渉に遭遇する場合がある。この干渉は、ダウンリンクとアップリンクの両方でパフォーマンスを劣化させる可能性がある。
【０００６】
[0006]モバイルブロードバンドアクセスに対する需要が増加し続けるにつれて、より多くのＵＥが長距離ワイヤレス通信ネットワークにアクセスし、より多くの短距離ワイヤレスシステムがコミュニティにおいて展開されて、干渉および輻輳ネットワークの可能性が増大する。モバイルブロードバンドアクセスに対する増大する需要を満たすためだけでなく、モバイル通信のユーザ体験を進化および向上させるためにも、ＵＭＴＳ技術を進化させる研究および開発が続けられている。
【発明の概要】
【０００７】
[0007]以下で、１つまたは複数の態様の基本的理解を与えるために、そのような態様の簡略化された概要を提示する。この概要は、すべての企図された態様の包括的な概観ではなく、すべての態様の主要なまたは重要な要素を識別するものでも、いずれかまたはすべての態様の範囲を定めるものでもない。その唯一の目的は、後で提示するより詳細な説明の導入として、１つまたは複数の態様のいくつかの概念を簡略化された形態で提示することである。
【０００８】
[0008]本開示の一態様では、モバイルデバイスによるワイヤレス通信のための方法は、少なくとも最小のあらかじめ決定された帯域幅しきい値を占有する帯域幅の一部において一様に分布した少なくとも１組のリソースブロックを備えるアップリンクリソースブロック構成を決定することと、少なくとも１組のリソースブロックにおいて送信を送ることとを含む。
【０００９】
[0009]本開示の一態様では、モバイルデバイスによって動作可能なワイヤレス通信のための方法は、クリアチャネルアセスメント（ＣＣＡ）の機会にクリアチャネルを検出することに応答してチャネル利用のためのチャネル使用ビーコン信号（ＣＵＢＳ）送信を備える指示をブロードキャストすることと、ここにおいて、クリアチャネルは、しきい値未満のエネルギーレベルとして、またはＣＵＢＳ信号の検出なしとして定義される、ＣＵＢＳ送信の後続の少なくとも１つのサブフレームにおいて連続送信することとを含む。
【００１０】
[0010]本開示の一態様では、モバイルデバイスによって動作可能なワイヤレス通信のための方法は、チャネル帯域幅の端部におけるあらかじめ決定された１組のリソースブロック上に少なくとも第１の組の動的にスケジュールされたリソースブロックと、少なくとも第２のリソースブロックとを備えるアップリンクリソースブロック構成を決定することと、リソースブロック構成は、少なくとも最小のあらかじめ決定された帯域幅しきい値を占有する、第１の組におけるリソースブロックのうちの少なくとも１つと、第２の組におけるリソースブロックのうちの１つとにおいて送信を送ることとを含む。
【００１１】
[0011]本開示の一態様では、モバイルデバイスによって動作可能なワイヤレス通信のための方法は、複数のモバイルデバイスに割り当てられた複数のチャネル利用リソースブロックを決定することと、割り当てられたものは、時分割多重化によって決定される、第１のクリアチャネルアセスメント（ＣＣＡ）を実行することと、ここにおいて、ＣＣＡの機会は、ＯＦＤＭシンボル持続時間の一部分を占有する、ＣＣＡが成功した場合、決定に基づいてチャネル使用ビーコン信号（ＣＵＢＳ）としてチャネル利用のための指示をブロードキャストすることと、ここにおいて、ＣＵＢＳ送信は、あらかじめ決定されたＯＦＤＭシンボル境界に揃えられる、非連続送信上の送信のための許可を受信した場合、各非連続送信の前に少なくとも第２のＣＣＡを実行することと、第２のＣＣＡが成功した場合、ＣＵＢＳを送信することなくスケジュールされた送信を送信することとを含む。
【００１２】
[0012]本開示の一態様では、ワイヤレス通信の方法は、基地局によって、無認可キャリアにおける複数のアップリンクサブフレーム上の可変送信時間間隔（ＴＴＩ）送信のためのジョイント制御チャネル（joint control channel）の送信のための１つまたは複数のダウンリンクサブフレームを選択することと、基地局によって、ジョイント制御チャネルのサイズを設定することと、基地局によって、ジョイント制御チャネルとの関連のためのアグリゲーションレベルを選択することと、基地局によって、１つまたは複数の選択されたダウンリンクサブフレーム上でジョイント制御チャネルを送信することとを含む。
【００１３】
[0013]本開示の追加の態様では、ワイヤレス通信の方法は、１つまたは複数のダウンリンクサブフレーム上で基地局からＵＥによって、無認可キャリアにおける複数のアップリンクサブフレーム上の可変ＴＴＩ送信のためのジョイント制御チャネルを受信することと、ＵＥによって、ジョイント制御チャネルに従って、複数のアップリンクサブフレーム上の可変ＴＴＩ送信を送信することとを含む。
【００１４】
[0014]本開示の追加の態様では、ワイヤレス通信の方法は、基地局によって、無認可キャリアにおける複数のアップリンクサブフレーム上の可変ＴＴＩ送信のための１つまたは複数のＵＥに対する送信許可を示す制御情報を準備することと、ここにおいて、準備することは、送信許可が適用される１つまたは複数のアップリンクコンポーネントキャリアを識別するクロスキャリアスケジューリングインジケータを提供することと、ここにおいて、クロスキャリアスケジューリングインジケータは、複数のアップリンクサブフレームの各々にわたって適用される、送信許可のためのリソース割振りを提供することと、複数のアップリンクサブフレームの各々についての変調およびコーディング方式ならびに冗長バージョンを提供することと、新しいアップリンク送信のためにスケジュールされた複数のアップリンクサブフレームの各々についての新しいデータインジケータを提供することと、可変ＴＴＩ送信のための送信電力制御信号を提供することと、可変ＴＴＩ送信におけるレイヤ間の直交性を維持するための位相情報を提供することと、基地局からのいくつかの予想される肯定応答を識別するダウンリンク割当て指示を提供することと、１つまたは複数のチャネル状態要求および１つまたは複数のサウンディング基準信号を提供することとを含み、基地局によって、制御情報を１つまたは複数のＵＥに送信することとを含む。
【００１５】
[0015]本開示の追加の態様では、ワイヤレス通信の方法は、ＵＥによって、無認可キャリアにおける複数のアップリンクサブフレーム上の可変ＴＴＩ送信のための基地局からの送信許可を示す制御情報を受信することと、ＵＥによって、制御情報を使用して可変ＴＴＩ送信を準備することと、ここにおいて、制御情報は、送信許可が適用される１つまたは複数のアップリンクコンポーネントキャリアを識別するクロスキャリアスケジューリングインジケータと、ここにおいて、クロスキャリアスケジューリングインジケータは、複数のアップリンクサブフレームの各々にわたって適用される、送信許可のためのリソース割振りと、複数のアップリンクサブフレームの各々についての変調およびコーディング方式ならびに冗長バージョンと、新しいアップリンク送信のためにスケジュールされた複数のアップリンクサブフレームの各々についての新しいデータインジケータと、可変ＴＴＩ送信のための送信電力制御信号と、可変ＴＴＩ送信におけるレイヤ間の直交性を維持するための位相情報と、基地局からのいくつかの予想される肯定応答を識別するダウンリンク割当て指示と、１つまたは複数のチャネル状態要求および１つまたは複数のサウンディング基準信号とを含み、ＵＥによって、制御情報に従って、複数のアップリンクサブフレーム上の可変ＴＴＩ送信を送信することとを含む。
【００１６】
[0016]関係する態様では、上記で要約した方法と方法の態様とのいずれかを実行するためのワイヤレス通信装置が提供され得る。装置は、たとえば、メモリに結合されたプロセッサを含み得、ここにおいて、メモリは、上記で説明した動作を装置に実行させるためにプロセッサが実行するための命令を保持する。そのような装置のいくつかの態様（たとえば、ハードウェア態様）は、ワイヤレス通信のために使用される様々なタイプのＵＥまたはアクセス端末などの機器によって例示され得る。同様に、プロセッサによって実行されたとき、上記方法および上記で要約した方法の態様をワイヤレス通信装置に実行させる、符号化された命令を保持する非一時的コンピュータ可読媒体を含む、製造品が提供され得る。
【図面の簡単な説明】
【００１７】
【図１】[0017]電気通信システムの一例を概念的に示すブロック図。
【図２Ａ】[0018]無認可スペクトル中でＬＴＥを使用するための展開シナリオの例を示す図。
【図２Ｂ】[0019]無認可スペクトル中でＬＴＥを使用するための展開シナリオの例を示す図。
【図３】[0020]認可および無認可スペクトル中でＬＴＥをコンカレントに使用するときのキャリアアグリゲーションの例を示す図。
【図４】[0021]電気通信システムにおけるダウンリンクフレーム構造の例を示すブロック図。
【図５】[0022]基地局／ｅＮＢおよびＵＥの設計を示すブロック図。
【図６Ａ】[0023]連続キャリアアグリゲーションを示す図。
【図６Ｂ】[0024]非連続キャリアアグリゲーションを示す図。
【図７】[0025]クリアチャネルアセスメント（ＣＣＡ）免除送信（clear channel assessment (CCA)-exempt transmission）（ＣＥＴ）の定期的送信のための例示的なダウンリンクサブフレーム構造を示す図。
【図８】[0026]マルチクラスタＳＣ−ＦＤＭＡ送信のために構成されるアップリンク送信ストリームを示すブロック図。
【図９】[0027]ＬＴＥ−Ｕ通信システムにおける無認可キャリア帯域のためのアップリンク送信ストリームを示すブロック図。
【図１０】[0028]ＬＴＥ−Ｕ通信システムにおける無認可キャリア帯域のためのアップリンク送信ストリームを示すブロック図。
【図１１Ａ】[0029]ＬＴＥ−Ｕ通信システムにおける通信のための方法の態様を示す図。
【図１１Ｂ】ＬＴＥ−Ｕ通信システムにおける通信のための方法の態様を示す図。
【図１２Ａ】[0030]ＬＴＥ−Ｕ通信システムにおける通信のための方法の態様を示す図。
【図１２Ｂ】ＬＴＥ−Ｕ通信システムにおける通信のための方法の態様を示す図。
【図１３】[0031]キャリアアグリゲーション（ＣＡ）モードまたはスタンドアロン（ＳＡ）モードで動作するための例示的なダウンリンクサブフレーム構造を示す図。
【図１４】[0032]ＣＥＴの定期的送信のための例示的なアップリンクサブフレーム構造を示す図。
【図１５】[0033]ミラーホッピングおよびマルチクラスタ構成を有する狭帯域波形を使用する例示的な構成を示す図。
【図１６】[0034]ＴＤＭとＦＤＭとを結合した波形を使用した例示的な構成を示す図。
【図１７】[0035]ＴＤＭ  ＣＣＡのための例示的なサブフレーム構造を示す図。
【図１８】[0036]ＦＤＭ波形を使用する例示的な構成を示す図。
【図１９】[0037]ＣＤＭ波形を使用する例示的な構成を示す図。
【図２０】[0038]アップリンク波形を使用するＬＴＥ−Ｕにおける通信のための方法の態様を示す図。
【図２１】[0039]アップリンク波形を使用するＬＴＥ−Ｕにおける通信のための方法の態様を示す図。
【図２２】[0040]アップリンク波形を使用するＬＴＥ−Ｕにおける通信のための方法の態様を示す図。
【図２３】[0041]アップリンク波形を使用するＬＴＥ−Ｕにおける通信のための方法の態様を示す図。
【図２４】[0042]図２０による方法を実施するための例示的な装置を示す図。
【図２５】[0043]図２１による方法を実施するための例示的な装置を示す図。
【図２６】[0044]図２２による方法を実施するための例示的な装置を示す図。
【図２７】[0045]図２３による方法を実施するための例示的な装置を示す図。
【図２８】[0046]図１１Ａによる方法を実施するための例示的な装置を示す図。
【図２９】[0047]図１１Ｂによる方法を実施するための例示的な装置を示す図。
【図３０】[0048]図１２Ａによる方法を実施するための例示的な装置を示す図。
【図３１】[0049]図１２Ｂによる方法を実施するための例示的な装置を示す図。
【発明を実施するための形態】
【００１８】
[0050]添付の図面に関して以下に記載する詳細な説明は、様々な構成を説明するものであり、本明細書で説明する概念が実施され得る唯一の構成を表すものではない。詳細な説明は、様々な概念の完全な理解を提供する目的のための特定の詳細を含む。しかしながら、これらの概念がこれらの特定の詳細なしに実施され得ることは、当業者には明らかであろう。いくつかの例では、そのような概念を曖昧にするのを回避するために、よく知られている構造および構成要素をブロック図の形態で示す。
【００１９】
[0051]本明細書で説明する技法は、ＬＴＥ（登録商標）に限定されず、ＣＤＭＡ、ＴＤＭＡ、ＦＤＭＡ、ＯＦＤＭＡ、ＳＣ−ＦＤＭＡ、および他のシステムなど、様々なワイヤレス通信ネットワークおよびシステムのためにも使用され得る。「ネットワーク」および「システム」という用語は、多くの場合、区別なく使用される。ＣＤＭＡネットワークは、汎用地上無線アクセス（ＵＴＲＡ：Universal Terrestrial Radio Access）、ＣＤＭＡ２０００などの無線技術を実装し得る。ＵＴＲＡは、広帯域ＣＤＭＡ（ＷＣＤＭＡ（登録商標））とＣＤＭＡの他の変形態とを含む。ＣＤＭＡ２０００は、ＩＳ−２０００、ＩＳ−９５およびＩＳ−８５６の標準規格を含む。ＴＤＭＡネットワークは、モバイル通信用グローバルシステム（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰのロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、記載したワイヤレスネットワークおよび無線技術、ならびに他のワイヤレスネットワークおよび無線技術について使用され得る。明快のために、技法のいくつかの態様がＬＴＥについて以下で説明され、以下の説明の多くではＬＴＥ用語が使用される。
【００２０】
[0052]事業者は、これまで、セルラーネットワークにおける輻輳の常に増加するレベルを軽減するために無認可スペクトルを使用するための主要な機構としてＷｉＦｉ（登録商標）を見てきた。しかしながら、無認可スペクトル（ＬＴＥ−Ｕ）中のＬＴＥに基づくニューキャリアタイプ（ＮＣＴ：new carrier type）はキャリアグレードＷｉＦｉに適合し得るので、無認可スペクトルを用いるＬＴＥ−ＵがＷｉＦｉの代替になる。ＬＴＥ−Ｕは、ＬＴＥ概念を活用し得、無認可スペクトル中での効率的な動作を可能にすることと、規制要件を満たすこととのために、ネットワークまたはネットワークデバイスの物理レイヤ（ＰＨＹ）およびメディアアクセス制御（ＭＡＣ）態様にいくつかの変更を導入し得る。無認可スペクトルは、たとえば、６００メガヘルツ（ＭＨｚ）から６ギガヘルツ（ＧＨｚ）までにわたり得る。いくつかのシナリオでは、ＬＴＥ−ＵはＷｉＦｉよりもかなり良好に機能し得る。たとえば、（単一または複数の事業者のための）全ＬＴＥ−Ｕ展開を全ＷｉＦｉ展開と比較して、または高密度スモールセル展開があるとき、ＬＴＥ−ＵはＷｉＦｉよりもかなり良好に機能し得る。ＬＴＥ−Ｕは、ＬＴＥ−Ｕが（単一または複数の事業者のために）ＷｉＦｉと混合されるときなど、他のシナリオにおいてＷｉＦｉよりも良好に機能し得る。
【００２１】
[0053]本開示の１つまたは複数の態様によれば、無認可帯域においてＬＴＥデバイスを動作させるための方法および装置が提供される。たとえば、動作は、無認可帯域においてＬＴＥを動作させるための向上したアップリンクおよびダウンリンク波形のための方法を含み得る。
【００２２】
[0054]ＬＴＥは、いくつかの動作モードを提供することができる。無認可スペクトルにおける動作では、ＬＴＥは、ＬＴＥ−Ｕと呼ばれ得る。ＬＴＥ−Ｕは、既存の認可スペクトルサービスプロバイダ（従来のＭＮＯ）による使用のために、補足ダウンリンク（ＳＤＬ：supplemental downlink）モードを提供することができる。ＳＤＬは、ダウンリンク容量オフロードのために使用され得る。別のモードでは、既存の認可スペクトルサービスプロバイダ（従来のＭＮＯ）によってキャリアアグリゲーション（ＣＡ）が使用され得る。ＣＡモードは、ダウンリンクおよびアップリンク容量オフロードのために使用され得る。スタンドアロン（ＳＡ）モードと呼ばれる別のモードでは、認可スペクトルは、サービスプロバイダによって使用されない可能性がある。ＳＡモードは、会場（たとえば、スポーツスタジアム）事業者またはＭＶＮＯによって使用され得る。ＳＡモードは、スタジアム内アクセスのために、または非従来型ワイヤレスアクセスのために、またはエンタープライズセッティングにおいて使用され得る。
【００２３】
[0055]単一のサービスプロバイダ（ＳＰ）の場合、無認可スペクトル上のＬＴＥ−Ｕネットワークは、認可スペクトル上のＬＴＥネットワークと同期しているように構成され得る。しかしながら、複数のＳＰによって所与のチャネル上で展開されるＬＴＥ−Ｕネットワークは、複数のＳＰにわたって同期しているように構成され得る。上記の特徴の両方を組み込むための１つの手法は、所与のＳＰのために、ＬＴＥと、ＬＴＥ−Ｕとの間で一定のタイミングオフセットを使用することを伴い得る。ＬＴＥ−Ｕネットワークは、ＳＰの必要性に従って、ユニキャストおよび／またはマルチキャストのサービスを提供し得る。その上、ＬＴＥ−Ｕネットワークは、ＬＴＥセルが、アンカーとして働き、関連するＬＴＥ−Ｕセル情報（たとえば、無線フレームタイミング、共通チャネル構成、システムフレーム番号またはＳＦＮなど）を与える、ブートストラップモードで動作し得る。このモードでは、ＬＴＥとＬＴＥ−Ｕとの間の緊密な相互作用があり得る。たとえば、ブートストラップモードは、本明細書で説明する補足ダウンリンクおよびキャリアアグリゲーションモードをサポートすることができる。ＬＴＥ−ＵネットワークのＰＨＹ−ＭＡＣレイヤは、ＬＴＥ−ＵネットワークがＬＴＥネットワークとは無関係に動作する、スタンドアロンモードで動作し得る。この場合、たとえば、コロケートされたＬＴＥ／ＬＴＥ−ＵセルとのＲＬＣレベルアグリゲーション、または複数のセルおよび／または基地局にわたるマルチフローに基づいて、ＬＴＥとＬＴＥ−Ｕとの間に緩い相互作用があり得る。
【００２４】
[0056]したがって、以下の説明は例を与えるものであり、特許請求の範囲に記載の範囲、適用性、または構成の限定ではない。本開示の趣旨および範囲から逸脱することなく、説明する要素の機能および構成において変更が行われ得る。様々な実施形態は、必要に応じて様々な手順または構成要素を省略、置換、または追加することができる。たとえば、説明する方法は、説明する順序とは異なる順序で実施され得、様々なステップが追加、省略、または組み合わせられ得る。また、いくつかの実施形態に関して記載される特徴は、他の実施形態において組み合わせられ得る。
【００２５】
[0057]図１に、ＬＴＥネットワークであり得るワイヤレス通信ネットワーク１００を示す。ワイヤレスネットワーク１００は、いくつかのｅＮＢ１１０と他のネットワークエンティティとを含み得る。ｅＮＢは、ＵＥと通信する局であってよく、基地局、ノードＢ、アクセスポイント、または他の用語としても呼ばれ得る。各ｅＮＢ１１０ａ、１１０ｂ、１１０ｃは、特定の地理的エリアに通信カバレージを与え得る。３ＧＰＰでは、「セル」という用語は、この用語が使用される状況に応じて、ｅＮＢのカバレッジエリアおよび／またはこのカバレッジエリアにサービスしているｅＮＢサブシステムを指すことがある。
【００２６】
[0058]ｅＮＢは、マクロセル、ピコセル、フェムトセル、および／または他のタイプのセルのための通信カバレージを提供することができる。マクロセルは、比較的大きい地理的エリア（たとえば、半径数キロメートル）をカバーすることができ、サービスに加入しているＵＥによる無制限のアクセスを許容する場合がある。ピコセルは、比較的小さい地理的エリアをカバーすることができ、サービスに加入しているＵＥによる無制限のアクセスを許容する場合がある。フェムトセルは、比較的小さい地理的エリア（たとえば、自宅）をカバーでき、フェムトセルとの関連を有するＵＥ（たとえば、限定加入者グループ（ＣＳＧ）内のＵＥ、自宅内のユーザのためのＵＥなど）による制限されたアクセスを可能にすることができる。マクロセルのためのｅＮＢはマクロｅＮＢと呼ばれることがある。ピコセルのためのｅＮＢは、ピコｅＮＢと呼ばれることがある。フェムトセルのためのｅＮＢはフェムトｅＮＢまたはホームｅＮＢ（ＨＮＢ）と呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｘは、ＵＥ１２０ｘをサービスするピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００２７】
[0059]いくつかの実施形態では、システム１００は、１つまたは複数のＬＴＥ−Ｕ動作モードまたは展開シナリオをサポートするＬＴＥ／ＬＴＥ−Ａネットワークである。他の実施形態では、システム１００は、無認可スペクトルおよびＬＴＥ−Ｕとは異なるアクセス技術、または認可スペクトルおよびＬＴＥ／ＬＴＥ−Ａとは異なるアクセス技術を使用してワイヤレス通信をサポートすることができる。発展型ノードＢ（ｅＮＢ）およびユーザ機器（ＵＥ）という用語は一般に、それぞれ基地局１１０およびデバイス１２０をそれぞれ表すために使用され得る。システム１００は、異なるタイプのｅＮＢが様々な地理的領域にカバレージを提供する、異種ＬＴＥ／ＬＴＥ−Ａ／ＬＴＥ−Ｕネットワークであり得る。
【００２８】
[0060]ワイヤレスネットワーク１００は、様々なタイプのｅＮＢ、たとえば、マクロｅＮＢ、ピコｅＮＢ、フェムトｅＮＢ、リレーなどを含む異種ネットワークであり得る。これらの様々なタイプのｅＮＢは、様々な送信電力レベルと、様々なカバレージエリアと、ワイヤレスネットワーク１００中の干渉に対する様々な影響とを有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２９】
[0061]ワイヤレスネットワーク１００は、同期動作または非同期動作をサポートし得る。ブロードキャストマルチキャスト動作は、定義エリア内の基地局の同期を必要とし得るが、本技術は、それにより限定されない。同期動作の場合、ｅＮＢは同様のフレームタイミングを有してよく、異なるｅＮＢからの送信は時間的に概ね整合され得る。非同期動作の場合、ｅＮＢは異なるフレームタイミングを有する場合があり、異なるｅＮＢからの送信は、時間的に整合されない場合がある。本明細書で説明する技法は、同期動作と非同期動作の両方に使用され得る。
【００３０】
[0062]ネットワークコントローラ１３０は、ｅＮＢのセットに結合し、これらのｅＮＢの協調と制御とを行い得る。ネットワークコントローラ１３０は、バックホールを介してｅＮＢ１１０と通信することができる。ｅＮＢ１１０はまた、たとえば、ワイヤレスバックホールまたは有線バックホールを介して、直接または間接的に互いに通信することができる。
【００３１】
[0063]ＵＥ１２０は、ワイヤレスネットワーク１００全体にわたって分散され得、各ＵＥは固定式またはモバイルであり得る。ＵＥは、端末、移動局、加入者ユニット、局などと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、または他のモバイルデバイスであり得る。ＵＥは、マクロｅＮＢ、ピコｅＮＢ、フェムトｅＮＢ、リレー、または他のネットワークエンティティと通信することが可能であり得る。図１では、両矢印付きの実線は、ダウンリンクおよび／またはアップリンク上で、ＵＥと、そのＵＥにサービスするように指定されたｅＮＢであるサービス提供ｅＮＢとの間の所望の送信を示す。両矢印付きの破線は、ＵＥとｅＮＢとの間の干渉する送信を示す。
【００３２】
[0064]ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定される場合があり、サブキャリアの総数（Ｋ）はシステム帯域幅によって決まる場合がある。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅はまた、サブバンドに区分され得る。たとえば、サブバンドは１．０８ＭＨｚをカバーし得、１．２５、２．５、５、１０または２０ＭＨｚのシステム帯域幅に対してそれぞれ１、２、４、８または１６個のサブバンドがあり得る。
【００３３】
[0065]システム１００のいくつかの実施形態では、認可スペクトル中のＬＴＥダウンリンク容量が無認可スペクトルにオフロードされ得る補足ダウンリンク（ＳＤＬ）モードと、ＬＴＥダウンリンク容量とＬＴＥアップリンク容量の両方が認可スペクトルから無認可スペクトルにオフロードされ得るキャリアアグリゲーションモードと、基地局（たとえば、ｅＮＢ）とＵＥとの間のＬＴＥダウンリンクおよびアップリンク通信が無認可スペクトル中で行われ得るスタンドアロンモードとを含む、ＬＴＥ−Ｕのための様々な展開シナリオがサポートされ得る。基地局１１０ならびにＵＥ１２０は、これらまたは同様の動作モードのうちの１つまたは複数をサポートし得る。無認可スペクトル中のＬＴＥダウンリンク送信のために通信リンク中でＯＦＤＭＡ通信信号が使用され得、無認可スペクトル中のＬＴＥアップリンク送信のために通信リンク中でＳＣ−ＦＤＭＡ通信信号が使用され得る。システム１００などのシステムにおける、ＬＴＥ−Ｕ展開シナリオまたは動作モードの実装形態に関するさらなる詳細、ならびにＬＴＥ−Ｕの動作に関係する他の特徴および機能を、図２Ａ〜図３１を参照しながら以下で与える。
【００３４】
[0066]次に図２Ａを参照すると、図２００は、ＬＴＥ−ＵをサポートするＬＴＥネットワークのための補足ダウンリンクモードおよびキャリアアグリゲーションモードの例を示している。図２００は、図１のシステム１００の部分の一例とすることができる。その上、基地局１１０−ａは図１の基地局１１０の一例であり得、ＵＥ１２０−ａは図１のＵＥ１２０の例であり得る。
【００３５】
[0067]図２００における補足ダウンリンクモードの例では、基地局１１０−ａは、ダウンリンク２０５を使用してＵＥ１２０−ａにＯＦＤＭＡ通信信号を送信し得る。ダウンリンク２０５は無認可スペクトル中の周波数Ｆ１に関連する。基地局１１０−ａは、双方向リンク２１０を使用して同じＵＥ１２０−ａにＯＦＤＭＡ通信信号を送信し得、双方向リンク２１０を使用してＵＥ１２０−ａからＳＣ−ＦＤＭＡ通信信号を受信し得る。双方向リンク２１０は認可スペクトル中の周波数Ｆ４に関連する。無認可スペクトル中のダウンリンク２０５と認可スペクトル中の双方向リンク２１０とはコンカレントに動作し得る。ダウンリンク２０５は、基地局１１０−ａのためのダウンリンク容量オフロードを提供し得る。いくつかの実施形態では、ダウンリンク２０５は、（たとえば、１つのＵＥに宛てられた）ユニキャストサービスのために、または（たとえば、いくつかのＵＥに宛てられた）マルチキャストサービスのために使用され得る。このシナリオは、認可スペクトルを使用し、トラフィックおよび／またはシグナリング輻輳の一部を軽減する必要がある、任意のサービスプロバイダ（たとえば、旧来のモバイルネットワーク事業者またはＭＮＯ）に関して発生し得る。
【００３６】
[0068]図２００におけるキャリアアグリゲーションモードの一例では、基地局１１０−ａは、双方向リンク２１５を使用してＵＥ１２０−ａにＯＦＤＭＡ通信信号を送信し得、双方向リンク２１５を使用して同じＵＥ１２０−ａからＳＣ−ＦＤＭＡ通信信号を受信し得る。双方向リンク２１５は無認可スペクトル中の周波数Ｆ１に関連する。基地局１１０−ａはまた、双方向リンク２２０を使用して同じＵＥ１２０−ａにＯＦＤＭＡ通信信号を送信し得、双方向リンク２２０を使用して同じＵＥ１２０−ａからＳＣ−ＦＤＭＡ通信信号を受信し得る。双方向リンク２２０は認可スペクトル中の周波数Ｆ２に関連する。双方向性リンク２１５は、基地局１１０−ａのためのダウンリンクおよびアップリンク容量オフロードを提供する。本明細書で説明した補足ダウンリンクのように、このシナリオは、認可スペクトルを使用し、トラフィックおよび／またはシグナリング輻輳の一部を軽減する必要がある、任意のサービスプロバイダ（たとえば、ＭＮＯ）に関して発生し得る。
【００３７】
[0069]図２００におけるキャリアアグリゲーションモードの別の例では、基地局１１０−ａは、双方向リンク２２５を使用してＵＥ１２０−ａにＯＦＤＭＡ通信信号を送信し得、双方向リンク２２５を使用して同じＵＥ１２０−ａからＳＣ−ＦＤＭＡ通信信号を受信し得る。双方向リンク２２５は無認可スペクトル中の周波数Ｆ３に関連する。基地局１１０−ａはまた、双方向リンク２３０を使用して同じＵＥ１２０−ａにＯＦＤＭＡ通信信号を送信し得、双方向リンク２３０を使用して同じＵＥ１２０−ａからＳＣ−ＦＤＭＡ通信信号を受信し得る。双方向リンク２３０は認可スペクトル中の周波数Ｆ２に関連する。双方向性リンク２２５は、基地局１１０−ａのためのダウンリンクおよびアップリンク容量オフロードを提供する。この例および本明細書で提供するものは、説明の目的で提示されており、容量オフロードのためにＬＴＥとＬＴＥ−Ｕとを組み合わせる他の類似の動作モードまたは展開シナリオがあり得る。
【００３８】
[0070]本明細書で説明したように、ＬＴＥ−Ｕ（無認可帯域中でのＬＴＥ）を使用することによって提供される容量オフロードから恩恵を受け得る一般的なサービスプロバイダは、ＬＴＥスペクトルを用いる旧来のＭＮＯである。これらのサービスプロバイダの場合、動作構成は、認可スペクトル上のＬＴＥ１次コンポーネントキャリア（ＰＣＣ：primary component carrier）と無認可スペクトル上のＬＴＥ−Ｕ２次コンポーネントキャリア（ＳＣＣ：secondary component carrier）とを使用するブートストラップモード（たとえば、補足ダウンリンク、キャリアアグリゲーション）を含み得る。
【００３９】
[0071]補足ダウンリンクモードでは、ＬＴＥ−Ｕのための制御はＬＴＥアップリンク（たとえば、双方向リンク２１０のアップリンク部分）上でトランスポートされ得る。ダウンリンク容量オフロードを与える理由の１つは、データ需要が大部分はダウンリンク消費によって引き起こされるからである。その上、このモードでは、ＵＥが無認可スペクトル中で送信していないので、規制上の影響がないことがある。ＵＥ上でリッスンビフォアトーク（ＬＢＴ：listen-before-talk）またはキャリア検知多重アクセス（ＣＳＭＡ：carrier sense multiple access）要件を実装する必要はない。しかしながら、ＬＢＴは、たとえば、周期（たとえば、１０ミリ秒ごとの）クリアチャネルアセスメント（ＣＣＡ）および／または無線フレーム境界に整合された把持および放棄（grab-and-relinquish）機構を使用することによって、基地局（たとえば、ｅＮＢ）上で実装され得る。
【００４０】
[0072]キャリアアグリゲーションモードでは、ＬＴＥ（たとえば、双方向リンク２１０、２２０、および２３０）においてデータおよび制御が通信され得、ＬＴＥ−Ｕ（たとえば、双方向リンク２１５および２２５）においてデータが通信され得る。ＬＴＥ−Ｕを使用する場合にサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００４１】
[0073]図２Ｂは、ＬＴＥ−Ｕのためのスタンドアロンモードの一例を示す図２００−ａを示す。図２００−ａは、図１のシステム１００の部分の一例であり得る。その上、基地局１１０−ｂは、図１の基地局１１０および図２Ａの基地局１１０−ａの一例であり得、ＵＥ１２０−ｂは、図１のＵＥ１２０および図２ＡのＵＥ１２０−ａの一例であり得る。
【００４２】
[0074]図２００−ａにおけるスタンドアロンモードの例では、基地局１１０−ｂは、双方向リンク２４０を使用してＵＥ１２０−ｂにＯＦＤＭＡ通信信号を送信し得、双方向リンク２４０を使用してＵＥ１２０−ｂからＳＣ−ＦＤＭＡ通信信号を受信し得る。双方向リンク２４０は、図２Ａに関して本明細書で説明した無認可スペクトル中の周波数Ｆ３に関連する。スタンドアロンモードは、スタジアム内アクセス（たとえば、ユニキャスト、マルチキャスト）などの非従来型ワイヤレスアクセスシナリオにおいて使用され得る。この動作モードのための一般的なサービスプロバイダは、スタジアム所有者、ケーブル会社、イベント主催者、ホテル、企業、および認可スペクトルを有しない大企業であり得る。これらのサービスプロバイダの場合、スタンドアロンモードのための動作構成は無認可スペクトル上のＬＴＥ−Ｕ  ＰＣＣを使用し得る。その上、ＬＢＴが基地局とＵＥの両方上で実装され得る。
【００４３】
[0075]次に図３を参照すると、図３００は、様々な実施形態による、認可および無認可スペクトル中でＬＴＥをコンカレントに使用するときのキャリアアグリゲーションの一例を示している。図３００におけるキャリアアグリゲーション方式は、図２Ａに関して本明細書で説明したハイブリッドＦＤＤ−ＴＤＤキャリアアグリゲーションに対応し得る。このタイプのキャリアアグリゲーションは、図１のシステム１００の少なくとも一部分において使用され得る。その上、このタイプのキャリアアグリゲーションは、それぞれ図１および図２Ａの基地局１１０および１１０−ａにおいて、および／またはそれぞれ図１および図２ＡのＵＥ１２０および１２０−ａにおいて使用され得る。
【００４４】
[0076]この例では、ＦＤＤ（ＦＤＤ−ＬＴＥ）がダウンリンクにおいてＬＴＥに関して実行され得、第１のＴＤＤ（ＴＤＤ１）がＬＴＥ−Ｕに関して実行され得、第２のＴＤＤ（ＴＤＤ２）がＬＴＥに関して実行され得、別のＦＤＤ（ＦＤＤ−ＬＴＥ）がアップリンクにおいてＬＴＥに関して実行され得る。ＴＤＤ１は６：４のＤＬ：ＵＬ比を生じ、ＴＤＤ２についての比は７：３である。時間スケール上で、異なる有効ＤＬ：ＵＬ比は、３：１、１：３、２：２、３：１、２：２、および３：１である。この例は説明の目的で提示され、ＬＴＥの動作と、ＬＴＥ−Ｕの動作とを組み合わせる他のキャリアアグリゲーション方式があり得る。
【００４５】
[0077]図４に、ＬＴＥにおいて使用されるダウンリンクフレーム構造を示す。ダウンリンクの送信タイムラインは無線フレーム４００の単位に区分され得る。各無線フレーム、たとえばフレーム４０２は、所定の期間（たとえば、１０ミリ秒（ｍｓ））を有してよく、０〜９のインデックスをもつ１０個のサブフレーム４０４に分割され得る。各サブフレーム、たとえば「サブフレーム０」４０６は、たとえば、「スロット０」４０８および「スロット１」４１０という２つのスロットを含み得る。したがって、各無線フレームは、０〜１９のインデックスをもつ２０個のスロットを含み得る。各スロットは、「Ｌ」個のシンボル期間、たとえば、図４に示すようにノーマルサイクリックプレフィックス（ＣＰ）の場合は７個のシンボル期間４１２、または拡張サイクリックプレフィックスの場合は６個のシンボル期間を含み得る。ノーマルＣＰおよび拡張ＣＰは、本明細書では異なるＣＰのタイプと呼ばれ得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中で「Ｎ」個のサブキャリア（たとえば、１２個のサブキャリア）をカバーし得る。
【００４６】
[0078]ＬＴＥでは、ｅＮＢ１１０は、ｅＮＢ１１０中の各セルについて１次同期信号（ＰＳＳ）と２次同期信号（ＳＳＳ）とを送り得る。１次同期信号および２次同期信号は、図４に示されているように、それぞれ、ノーマルサイクリックプレフィックスをもつ各無線フレームのサブフレーム０および５の各々中のシンボル期間６および５において送られ得る。同期信号は、セル検出および収集のためにＵＥによって使用され得る。ｅＮＢ１１０は、サブフレーム０のスロット１中のシンボル期間０〜３において物理ブロードキャストチャネル（ＰＢＣＨ）を送り得る。ＰＢＣＨはあるシステム情報を搬送し得る。
【００４７】
[0079]ｅＮＢ１１０は、図４の第１のシンボル期間４１４全体において示されているが、各サブフレームの第１のシンボル期間の一部のみの中で物理制御フォーマットインジケータチャネル（ＰＣＦＩＣＨ）を送り得る。ＰＣＦＩＣＨは、制御チャネルのために使用されるいくつか（Ｍ個）のシンボル期間を搬送し得、ここで、Ｍは、１、２、または３に等しくなり得、サブフレームごとに変化し得る。Ｍはまた、たとえば、リソースブロックが１０個未満である小さいシステム帯域幅では、４に等しくなり得る。図４に示された例では、Ｍ＝３である。ｅＮＢ１１０は、各サブフレームの最初のＭ個（図４ではＭ＝３）のシンボル期間中で物理Ｈ−ＡＲＱインジケータチャネル（ＰＨＩＣＨ）と物理ダウンリンク制御チャネル（ＰＤＣＣＨ）とを送り得る。ＰＨＩＣＨは、ハイブリッド自動再送信（Ｈ−ＡＲＱ）をサポートするための情報を搬送し得る。ＰＤＣＣＨは、ＵＥのためのリソースの割振りに関する情報と、ダウンリンクチャネル用の制御情報とを搬送することができる。図４の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図４にはそのようには示されていないが、第２のシンボル期間と第３のシンボル期間の両方の中にある。ｅＮＢ１１０は、各サブフレームの残りのシンボル期間において物理ダウンリンク共有チャネル（ＰＤＳＣＨ）を送り得る。ＰＤＳＣＨは、ダウンリンク上でのデータ送信がスケジュールされたＵＥのためのデータを搬送することができる。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００４８】
[0080]ｅＮＢ１１０は、ｅＮＢ１１０によって使用されるシステム帯域幅の中心１．０８ＭＨｚにおいてＰＳＳと、ＳＳＳと、ＰＢＣＨとを送り得る。ｅＮＢ１１０は、これらのチャネルが送られる各シンボル期間においてシステム帯域幅全体にわたってＰＣＦＩＣＨおよびＰＨＩＣＨを送り得る。ｅＮＢ１１０は、システム帯域幅のいくつかの部分においてＵＥのグループにＰＤＣＣＨを送り得る。ｅＮＢ１１０は、システム帯域幅の特定の部分において特定のＵＥにＰＤＳＣＨを送り得る。ｅＮＢ１１０は、すべてのＵＥにブロードキャスト方式でＰＳＳと、ＳＳＳと、ＰＢＣＨと、ＰＣＦＩＣＨと、ＰＨＩＣＨとを送り得、特定のＵＥにユニキャスト方式でＰＤＣＣＨを送り得、また特定のＵＥにユニキャスト方式でＰＤＳＣＨを送り得る。
【００４９】
[0081]各シンボル期間において、いくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ）に配置され得る。各ＲＥＧは、１つのシンボル期間中の４つのリソース要素を含み得る。ＰＣＦＩＣＨは、シンボル期間０中に、周波数にわたってほぼ等しく離間され得る、４つのＲＥＧを占有し得る。ＰＨＩＣＨは、１つまたは複数の構成可能なシンボル期間中に、周波数にわたって拡散され得る、３つのＲＥＧを占有し得る。たとえば、ＰＨＩＣＨのための３つのＲＥＧは、すべてシンボル期間０に属することができるか、またはシンボル期間０、１および２に拡散され得る。ＰＤＣＣＨは、最初のＭ個のシンボル期間中に、利用可能なＲＥＧから選択され得る、９、１８、３２または６４個のＲＥＧを占有し得る。ＲＥＧのいくつかの組合せのみを、ＰＤＣＣＨに対して許可することができる。
【００５０】
[0082]ＵＥは、ＰＨＩＣＨおよびＰＣＦＩＣＨのために使用される特定のＲＥＧを知り得る。ＵＥは、ＰＤＣＣＨについてＲＥＧの様々な組合せを探索することができる。探索すべき組合せの数は、一般に、ＰＤＣＣＨに対して可能にされる組合せの数よりも少ない。ｅＮＢ１１０は、ＵＥが探索することになる組合せのいずれかにおいてＵＥにＰＤＣＣＨを送り得る。
【００５１】
[0083]図５は、図１の基地局／ｅＮＢ１１０のうちの１つであり得る基地局／ｅＮＢ１１０、および図１のＵＥ１２０のうちの１つであり得るＵＥ１２０の設計のブロック図を示す。基地局１１０はまた、何らかの他のタイプの基地局であり得る。基地局１１０はアンテナ５３４ａ〜５３４ｔを備え得、ＵＥ１２０はアンテナ５５２ａ〜５５２ｒを備え得る。
【００５２】
[0084]基地局１１０において、送信プロセッサ５２０は、データソース５１２からデータを受信し、コントローラ／プロセッサ５４０から制御情報を受信し得る。制御情報は、ＰＢＣＨ、ＰＣＦＩＣＨ、ＰＨＩＣＨ、ＰＤＣＣＨなどのためであり得る。データは、ＰＤＳＣＨなど向けであり得る。プロセッサ５２０は、データと制御情報とを処理（たとえば、符号化およびシンボルマッピング）して、それぞれデータシンボルと制御シンボルとを取得し得る。プロセッサ５２０はまた、たとえば、ＰＳＳ、ＳＳＳ、およびセル固有基準信号のための基準シンボルを生成し得る。送信（ＴＸ）多入力多出力（ＭＩＭＯ）プロセッサ５３０が、適用可能な場合、データシンボル、制御シンボル、および／または基準シンボルに対して空間処理（たとえば、プリコーディング）を実行し得、出力シンボルストリームを変調器（ＭＯＤ）５３２ａ〜５３２ｔに与え得る。各変調器５３２は、出力サンプルストリームを取得するために、（たとえば、ＯＦＤＭなどのための）それぞれの出力シンボルストリームを処理し得る。各変調器５３２はさらに、ダウンリンク信号を取得するために、出力サンプルストリームを処理（たとえば、アナログへの変換、増幅、フィルタ処理、およびアップコンバート）し得る。変調器５３２ａ〜５３２ｔのダウンリンク信号は、それぞれアンテナ５３４ａ〜５３４ｔを介して送信され得る。
【００５３】
[0085]ＵＥ１２０において、アンテナ５５２ａ〜５５２ｒは、基地局１１０および／または近隣基地局からダウンリンク信号を受信し得、受信信号をそれぞれ復調器（ＤＥＭＯＤ）５５４ａ〜５５４ｒに与え得る。各復調器５５４は入力サンプルを取得するために、それぞれの受信信号を調整（たとえば、フィルタ処理、増幅、ダウンコンバート、およびデジタル化）し得る。各復調器５５４はさらに、受信シンボルを取得するために、（たとえば、ＯＦＤＭなどのために）入力サンプルを処理し得る。ＭＩＭＯ検出器５５６は、すべての復調器５５４ａ〜５５４ｒから受信シンボルを取得し、適用可能な場合は受信シンボルに対してＭＩＭＯ検出を実行し、検出シンボルを与え得る。受信プロセッサ５５８が、検出シンボルを処理（たとえば、復調、デインターリーブ、および復号）し、ＵＥ１２０のための復号されたデータをデータシンク５６０に与え、復号された制御情報をコントローラ／プロセッサ５８０に与え得る。
【００５４】
[0086]アップリンク上では、ＵＥ１２０において、送信プロセッサ５６４は、データソース５６２から（たとえば、ＰＵＳＣＨのための）データを受信し、処理し得、コントローラ／プロセッサ５８０から（たとえば、ＰＵＣＣＨのための）制御情報を受信し、処理し得る。プロセッサ５６４はまた、基準信号のための基準シンボルを生成し得る。送信プロセッサ５６４からのシンボルは、適用可能な場合はＴＸ  ＭＩＭＯプロセッサ５６６によってプリコードされ、さらに（たとえば、ＳＣ−ＦＤＭなどのために）変調器５５４ａ〜５５４ｒによって処理され、基地局１１０に送信され得る。基地局１１０において、ＵＥ１２０からのアップリンク信号は、アンテナ５３４によって受信され、復調器５３２によって処理され、可能な場合はＭＩＭＯ検出器５３６によって検出され、ＵＥ１２０によって送られた復号されたデータと制御情報とを取得するために、受信プロセッサ５３８によってさらに処理され得る。プロセッサ５３８は、復号されたデータをデータシンク５３９に与え、復号された制御情報をコントローラ／プロセッサ５４０に与え得る。
【００５５】
[0087]コントローラ／プロセッサ５４０および５８０は、それぞれ基地局１１０およびＵＥ１２０における動作を指示し得る。基地局１１０におけるプロセッサ５４０ならびに／または他のプロセッサおよびモジュールは、本明細書で説明する技法のための様々なプロセスを実行するか、またはその実行を指示し得る。ＵＥ１２０におけるプロセッサ５８０および／または他のプロセッサおよびモジュールはまた、図１１Ｂ、図１２Ｂ、図２０、図２１、図２２および図２３に示す機能ブロック、および／または本明細書で説明する技法のための他のプロセスを実行するかまたはその実行を指示し得る。ｅＮＢ１１０におけるプロセッサ５４０ならびに／または他のプロセッサおよびモジュールは、図１１Ａおよび図１２Ａに示す機能ブロック、および／または本明細書で説明する技法のための他のプロセスを実行するか、またはその実行を指示し得る。メモリ５４２および５８２は、それぞれ基地局１１０およびＵＥ１２０のためのデータとプログラムコードとを記憶し得る。スケジューラ５４４は、ダウンリンク上および／またはアップリンク上のデータ送信のためにＵＥをスケジューリングし得る。
【００５６】
[0088]容易に諒解されるように、アンテナ５５２、変調器５５４、送信プロセッサ５６４、および／またはＴＸ  ＭＩＭＯプロセッサ５６６は、ＵＥ１２０の送信チェーンを形成し、プロセッサ５８０の制御下でアップリンク信号を送るかまたは送信するための手段を供給し得る。たとえば、送信チェーンは、アクセスポイント（たとえば、ｅＮＢ）のコンポーネントキャリア（たとえば、１次コンポーネントキャリア）との接続を設定するための手段を供給することができる。送信チェーンは、アクセスポイントに少なくとも１つのメトリックを送る手段を供給することができる。
【００５７】
[0089]容易に諒解されるように、アンテナ５５２、復調器５５４、受信プロセッサ５５８、および／または、ＲＸ  ＭＩＭＯ検出器５５６は、ＵＥ１２０の受信チェーンを形成し、コンポーネントキャリア（たとえば、２次コンポーネントキャリア）をスイッチオンまたはオフすることに関係するメッセージを受信するための手段を供給し得る。
【００５８】
[0090]一態様では、プロセッサ５８０は、メモリ５８２中に保持された命令を実行することによって、本明細書で説明する方法の動作を実行するためのモジュールを含む。そのようなモジュールは、たとえば、無認可通信帯域の送信チャネルに関する制約に関連した少なくとも１つのメトリックを決定するための手段を含み得る。そのようなモジュールは、たとえば、それぞれの送信チェーンと受信チェーンとの動作を制御するためにプロセッサ５８０によって利用され得る。
【００５９】
[0091]一構成では、ワイヤレス通信のためのＵＥ１２０は、以下の図に示されるプロセスを実行するための手段を含み得る。一態様では、上述の手段は、上述の手段によって列挙される機能を実行するように構成された（１つまたは複数の）プロセッサ、コントローラ／プロセッサ５８０、メモリ５８２、受信プロセッサ５５８、ＭＩＭＯ検出器５５６、復調器５５４ａ、およびアンテナ５５２ａとすることができる。別の態様では、上述の手段は、上述の手段によって列挙される機能を実施するように構成されたモジュールまたは任意の装置とすることができる。
【００６０】
[0092]図６Ａは、連続キャリアアグリゲーションの一例を示す。Ｋ個の連続キャリア（ＣＣ）が利用可能であり得、互いに隣接し得、ただし、概して、Ｋは任意の整数値であり得る。Ｋは、いくつかのＬＴＥ  Ｒｅｌｅａｓｅでは５以下に制限され得る。各ＣＣは最高２０ＭＨｚの帯域幅を有し得る。全体的なシステム帯域幅は、５つのＣＣがサポートされるとき、最高１００ＭＨｚであり得る。図６Ｂは、不連続キャリアアグリゲーションの一例を示す。Ｋ個のＣＣが利用可能であり得、互いに別個であり得る。各ＣＣは最高２０ＭＨｚの帯域幅を有し得る。アグリゲートされたキャリアは、１次サービングセル（ＰＳＣまたはＰＣｅｌｌ）にサービスする１次コンポーネントキャリア（ＰＣＣ）を含み得る。１次サービングセルは、ＰＣｅｌｌと呼ばれ得る。アグリゲートされたキャリアは、それぞれ２次サービングセル（ＳＳＣまたはＳＣｅｌｌ）にサービスするいくつかの２次コンポーネントキャリア（ＳＣＣ）を含み得る。
【００６１】
[0093]ダウンリンクフレーム構造は、追跡ループのために使用される信号のために利用され得る。ワイヤレスローカルエリアネットワーク（ＷＬＡＮ）では、媒体アクセス制御（ＭＡＣ）のためにキャリア検知多元接続（ＣＳＭＡ）が使用され得る。デバイスは、チャネルが利用可能であるかアイドルであるかわかる場合のみ、進行中の送信のためのチャネルを検知し、送信を開始する。チャネル検知は、クリアチャネルアセスメント（ＣＣＡ）と呼ばれ、ＭＡＣプロトコルのために使用され得る。いくつかの送信は、ＣＣＡ免除送信（ＣＥＴ）とすることができ、ＣＣＡ制約の対象ではない。いくつかの例には、ＰＳＳ、ＳＳＳ、強化された共通基準信号（ｅＣＲＳ）、強化された物理ブロードキャストチャネル（ｅＰＢＣＨ）があり得る。一例では、ＣＥＴは、８０ｍｓの周期で送信され得る。図７は、８０ｍｓの間隔の４つのＣＥＴ送信を示す。各ＣＥＴ送信は、たとえば、ＰＳＳ／ＳＳＳ／ｅＣＲＳ／ｅＰＢＣＨを含み得る。
【００６２】
[0094]キャリアアグリゲーションＣＡモードは、認可スペクトルおよび無認可スペクトルのいずれかまたは両方を使用するＣＡに基づく設計を含み得る。一設計では、認可スペクトルは、アンカーまたは１次コンポーネントキャリア（ＰＣＣ）として使用され得る。制御データおよびクリティカルデータは、認可スペクトル上でトランスポートされ得る。無認可スペクトルは、データオンリー送信を提供するデータオフロードのために使用され得る。ダウンリンクおよびアップリンクにおいて、認可チャネル上のＬＴＥは、制御とデータの両方を提供することができる。無認可チャネル上のＬＴＥは、データを提供することができる。
【００６３】
[0095]設計は、ＣＣにわたる異なるＤＬ／ＵＬパーティションを有するハイブリッドＦＤＤ−ＴＤＤ  ＣＡまたはＴＤＤ−ＴＤＤ  ＣＡを含むことができる。
【００６４】
[0096]１つの目標は、いくつかのダウンリンク−アップリンクの移行を最小にすることを含み得る。たとえば、すべての送信機は、リッスンビフォアトーク（ＬＢＴ）機構に従う必要があり得る。
【００６５】
[0097]ＬＴＥ−Ｕシステムでは、通信システムがたとえばＷｉＦｉなど無認可スペクトル上の動作を含むので、占有帯域幅を構成するために存在する送信エネルギーのレベルに関する規則がある。占有チャネル帯域幅は、０．５％のエネルギーから９９．５％のエネルギーまで周波数を掃引することによって定義される。占有帯域幅と考えられるために、占有チャネル帯域幅掃引は、０．８０×公称帯域幅よりも大きいかまたはそれに等しいものとする。したがって、占有無認可スペクトルは、公称帯域幅の８０％の送信スパンを有するものとする。ＳＣ−ＦＤＭＡベースのアップリンク信号は、多くの場合、この要件を満たさない可能性がある。
【００６６】
[0098]たとえばＰＵＳＣＨおよびＰＵＣＣＨの場合など、アップリンク信号リソース割当てのための１つの潜在的な設計は、マルチクラスタＳＣ−ＦＤＭＡである。マルチクラスタＳＣ−ＦＤＭＡは、リソースブロック（ＲＢ）レベルインターリービングを提供する。たとえば、２０ＭＨｚのシステムにおける１０ＲＢの最小インターリービング粒度（interleaving granularity）で、占有チャネル帯域幅の８０％の占有要件が満たされ得る。したがって、チャネル帯域幅は、２０ＭＨｚのシステムにおいて最高１０のＰＵＳＣＨまたはＰＵＣＣＨチャネルを多重化することによって占有されると考えられ得る。
【００６７】
[0099]図８は、マルチクラスタＳＣ−ＦＤＭＡ送信用に構成されるアップリンク送信ストリームを示すブロック図である。２０ＭＨｚのＬＴＥ−Ｕ展開についての公称チャネル帯域幅８００が示される。実際のチャネル帯域幅８０１は、約１８ＭＨｚの実際の使用可能な帯域幅を表す、１００のＲＢを表す。占有チャネル帯域幅と考えられるために、アップリンク送信は、公称チャネル帯域幅８００の少なくとも８０％にわたるものとする。約１６．４ＭＨｚを表す、９１のＲＢを有する占有チャネル帯域幅８０２が示される。したがって、ＰＵＳＣＨ送信を含む、アップリンク送信では、占有帯域幅要件を正常に満たすために、１０のＲＢの最小インターリービング粒度で、１０のＰＵＳＣＨチャネルが多重化され得る。したがって、占有チャネル帯域幅８０２にわたるアップリンク送信ＲＢ８０３および８０４のインターリービングを含む、インターレース１〜インターレース１０は、ＬＴＥ−Ｕ展開における無認可スペクトルの占有帯域要件を満たすことになる。
【００６８】
[00100]たとえばＰＵＣＣＨおよびＰＵＳＣＨ信号などのアップリンク信号は、一般に、異なる変調シンボルがサブキャリアごとに送られる、または周波数領域波形を送る前に何らかのプリコーディングが行われる、１組のサブキャリアを占有する局所化周波数分割多重化（ＬＦＤＭ）波形に基づく。これらの波形を使用するとき、送られるために利用可能な少量のデータがスペクトルの小さい部分になることが占有される。送信電力スペクトル密度（ＴＸ−ＰＳＤ）の制限のため、帯域幅の小さい部分を占有するとき、少量の電力が送信される。本明細書で言及するように、占有帯域幅要件は、そのようなアップリンク送信が波形全体のパーセンテージを占める必要があり得ることを示唆することになる。しかしながら、波形のほとんどが占有され、任意の未使用のサブキャリアを残さない場合、所与の量の帯域幅のために異なるユーザを多重化することが可能でない可能性がある。ＳＣ−ＦＤＭＡ信号のマルチクラスタリングは、信号がＮサブキャリアごとに１つ（たとえば、１０ごとに１つ、１２ごとに１つなど）を占め、それによって、中央の多くのサブキャリアを占有されていないままにするように、各送信機がその信号をインターリーブすることを提供する。このマルチクラスタＳＣ−ＦＤＭＡ手法は、より高い電力で（しかし、依然として、規則を満たすのに十分低いＰＳＤで）波形を送ることを可能にするために、公称帯域幅占有を増加させ得る。それらのサブキャリアに限定された信号を送るために、Ｎサブキャリアごとに１つを占める、インターリーブド周波数分割多重化（ＩＦＤＭ）およびインターリーブド直交周波数分割多重化（Ｉ−ＯＦＤＭ）信号が使用され得る。
【００６９】
[00101]ＬＴＥ−Ｕシステムにおける任意のアップリンク送信より前に、ＵＥは、クリアチャネルアクセス（ＣＣＡ）アセスメントを実行する。ＣＣＡがクリアであると検出された場合、ＵＥは、クリアなＣＣＡを戻す特定のキャリア上のアップリンク送信を続行することができる。図９は、ＬＴＥ−Ｕ通信システムにおける無認可キャリア帯域でのアップリンク送信ストリーム９０を示すブロック図である。アップリンク送信ストリーム９０の図示の部分は、ＳＦ０で次のフレームの第１のサブフレームに移行する前のアップリンクシンボルを含み得る、３つのアップリンクサブフレーム（サブフレーム（ＳＦ）６〜８）および１つのＳ’サブフレームによって構成される２つのアップリンク送信フレームの部分を示す。アップリンク送信ストリーム９０が無認可キャリア上の送信のためのものであるので、送信側ＵＥは、ＳＦ６〜ＳＦ９において任意のデータを送信するより前にアップリンクＣＣＡ（ＵＣＣＡ）チェック９００を実行することになる。ダウンリンクパイロットタイムスロット（ＤｗＰＴＳ）９０５およびガード期間（ＧＰ）９０６の後にＳＦ５ＳサブフレームにおいてアップリンクＣＣＡチェック９００のために７つのスロットが利用可能である。次いで、これらの７つのスロットは、占有帯域幅を示す、アップリンクチャネル使用ビーコン信号（アップリンクＣＵＢＳまたはＵＣＵＢＳ）９０１のための最後のスロットを残す。
【００７０】
[00102]リッスンビフォアトーク（ＬＢＴ）の手順は、ＣＣＡチェックがすべてのＬＢＴ固定フレーム期間９０２の後に実行されることを提供する。現在のＬＢＴ固定フレーム期間９０２は、１０ｍｓである。したがって、図９に図示されるフレーム構成によれば、最大チャネル占有９０３は、ＬＢＴ固定フレーム期間（現在１０ｍｓ）−ＳＦ０〜ＳＦ４にわたって起こるダウンリンク送信時間になる。ＳＦ５の７つのスロットのうちのいずれかについてのＣＣＡチェックがクリアな送信のために検出されるとき、ＵＥは、ＳＦ６およびＳＦ７から開始するアップリンクサブフレーム上でＬＴＥベースの波形９０４を送信することになる。
【００７１】
[00103]ＬＴＥ−Ｕシステムにおける無認可キャリア上のアップリンク送信のための様々なアップリンク送信長に対応するために、可変送信時間間隔（ＴＴＩ）連続送信は、成功したＣＣＡチェック後の連続送信のＬＢＴ規制を満たすために使用され得る。図１０は、ＬＴＥ−Ｕ通信システムにおける無認可キャリア帯域でのアップリンク送信ストリーム１００ａを示すブロック図である。アップリンク送信ストリーム１００ａの図示の部分は、ＳＦ０で次のフレームの第１のサブフレームに移行する前のアップリンクシンボルを含み得る、３つのアップリンクサブフレーム（サブフレーム（ＳＦ）６〜８）および１つのＳ’サブフレームによって構成される２つのアップリンク送信フレームの部分を示す。アップリンク送信ストリーム１００ａが無認可キャリア上の送信のためのものであるので、送信側ＵＥは、ＳＦ６〜ＳＦ９において任意のデータを送信するより前にアップリンクＣＣＡチェック１０００を実行することになる。クリアなＣＣＡがアップリンクＣＣＡチェック１０００に応答して検出された後、複数のスロットおよびサブフレーム上の可変ＴＴＩ送信を構築するための異なるオプションがある。たとえば、可変ＴＴＩ送信１００２ａは、ＳＦ５（ＳＦ５’）におけるアップリンクＣＣＡ１０００後、ＵｐＰＴＳのＣＵＢＳアップリンクスロット１００３上のアップリンク送信を提供する。可変ＴＴＩ送信１００２ｂは、ＣＵＢＳアップリンクスロット１００３およびＳＦ６  １００４上のアップリンク送信を提供する。可変ＴＴＩ送信１００２ｃは、ＣＵＢＳアップリンクスロット１００３ならびに２つのサブフレームＳＦ６  １００４およびＳＦ７  １００５上のアップリンク送信を提供する。可変ＴＴＩ送信１００２ｄは、ＣＵＢＳアップリンクスロット１００３ならびに３つのサブフレームＳＦ６  １００４、ＳＦ７  １００５、およびＳＦ８  １００６上のアップリンク送信を提供する。可変ＴＴＩ送信１００２ｅは、ＣＵＢＳアップリンクスロット１００３、ＳＦ６  １００４、ＳＦ７  １００５、ＳＦ８  １００６、およびＳＦ９  １０００（ＳＦ９’）における特別なサブフレームＳ’のＵｐＰＴＳアップリンクスロットの利用可能な全アップリンクリソース上のアップリンク送信を提供する。
【００７２】
[00104]ＬＴＥアップリンク通信において、タイプ０およびタイプ１の２種類のアップリンクリソース割振り方式がサポートされる。タイプ０は、各スロット内の連続アップリンクリソース割振りを定義する。スロットホッピングは、１ビットのフラグによって有効にされ得、有効にされた場合、異なるスロットにわたってリソースを割り振る。リソース割振りのために使用されるビット数は、次の式によって決定され得る。
【００７３】
【数１】
0006517191.tif 000002
【００７４】
アップリンクにおける物理リソースブロック（ＰＲＢ）の数であるＮがどこにあるか。たとえば、２０ＭＨｚのシステムでは、Ｎ＝１００ＲＢである。したがって、式（１）によるリソース割振りのためのビットの数は、１３ビットになる。
【００７５】
[00105]タイプ１は、スロットホッピングなしに、デュアルクラスタアップリンクリソース割振りを定義する。ダウンリンク制御情報（ＤＣＩ）フォーマット０では、リソース割振りのためのビットの数は、次の式によって決定される。
【００７６】
【数２】
0006517191.tif 000003
【００７７】
上式で、追加の１ビットは、もはや必要でない、１ビットのスロットホッピングフラグに起因する。ＤＣＩフォーマット４では、リソース割振りのためのビットの数は、次の式によって決定される。
【００７８】
【数３】
0006517191.tif 000004
【００７９】
上式で、Ｐは、システム帯域幅に応じて最高４ＲＢとすることができるＲＢグループサイズであり、Ｎｃｈｏｏｓｅｋは、ｎ！／ｋ！／（ｎ−ｋ）！として定義される二項係数（ｎ，ｋ）を示す。
【００８０】
[00106]無認可スペクトル上のアップリンク通信を可能にするＬＴＥ−Ｕシステムにおける可変ＴＴＩ連続送信をサポートするために、可変ＴＴＩ送信のための制御チャネルスケジューリングの問題が起こる。加えて、さらなるＬＢＴ要件のために、たとえばリソース割振り、変調コーディング方式（ＭＣＳ）／冗長バージョン（ＲＶ）、送信電力制御（ＴＰＣ）、新しいデータインジケータ（ＮＤＩ）など、既存のＰＵＳＣＨ伝送特性は不十分であり得る。
【００８１】
[00107]ＬＴＥ−Ｕ通信システムにおける可変ＴＴＩ連続アップリンク送信のために、２種類の制御チャネル設計が考えられ得る。複数の可変ＴＴＩアップリンク送信サブフレームのアップリンクサブフレームごとの個々の制御チャネル、または複数のアップリンクサブフレームのための単一の制御チャネルを含むジョイント制御チャネルのいずれかがあり得る。無認可ＬＴＥ−Ｕキャリア上のアップリンク送信が、ＣＣＡクリアランスの後、連続的でなければならないという要件のため、アップリンクサブフレームごとの個々の制御チャネルは、好ましくない可能性がある。たとえば、１つのアップリンクの個々の制御チャネルが消失した場合、意図されるように、対応するアップリンク送信は実行することができず、したがって、連続送信のための必要な性質は満たされないことになる。したがって、本開示の様々な態様は、可変ＴＴＩアップリンク送信のためのジョイント制御チャネルを提供する。
【００８２】
[00108]図１１Ａおよび図１１Ｂは、本開示の一態様を実装するために実行される例示的なブロックを示す機能ブロック図である。ブロック１１００で、基地局は、複数のアップリンクサブフレーム上の可変ＴＴＩ送信のためのジョイント制御チャネルを送信するための１つまたは複数のダウンリンクサブフレームを選択する。本開示の様々な態様に従って構成され得る基地局は、その構成要素および本明細書で説明する特徴を実行または制御するための様々な論理を記憶するためのメモリを有するｅＮＢ１１０（図５）を含み得る。ジョイント制御チャネルが送信されるサブフレームは、制御チャネルサブフレームと可変ＴＴＩ送信のための第１のアップリンクサブフレームとの間のハイブリッド自動再送要求（ＨＡＲＱ）タイミングに基づき得る。たとえば、可変ＴＴＩ送信がサブフレームｎ、ｎ＋１、…、ｎ＋ｋ−１から開始する場合、および送信と肯定応答との間の典型的なＨＡＲＱ  ４ｍｓのギャップを想定すると、ジョイント制御チャネルは、サブフレームがダウンリンクサブフレームである場合、サブフレームｎ−４において送信されることになる。ｎ−４サブフレームがダウンリンクサブフレームでない場合、ジョイント制御チャネルは、ｎ−４の前に第１のダウンリンクサブフレームで送信されることになる。ＵＥが制御チャネルを検出し、復号することができ、４ｍｓ未満で対応するアップリンク送信を実行する用意ができている場合、４ｍｓより小さいギャップも可能であり得る。
【００８３】
[00109]ブロック１１０１で、基地局は、ジョイント制御チャネルのサイズを設定する。所与のフレーム構造で、可変ＴＴＩ送信のためのアップリンクサブフレームの組は、Ｍとして指定される。ジョイント制御チャネルのサイズを決定するための２つの代替の設計がある。第１の代替の設計では、すべてのＭ個のアップリンクサブフレームが送信のためにスケジュールされていることを仮定する、単一の制御サイズが使用される。この代替は、（たとえば、異なり得る、潜在的に異なるＭ個のスケジュールされたアップリンクサブフレーム）異なるフレーム構造のダウンリンク制御オーバーヘッドの追加の非効率性を代償にしても、ブラインド復号の望ましい最大数を維持するのを助ける。
【００８４】
[00110]第２の代替の設計において、可変ＴＴＩ送信スケジューリングのために識別される複数のサブフレームを考慮に入れる、２つ以上の制御サイズが定義され得る。たとえば、Ｍ個の可能な可変ＴＴＩスケジューリングの選択（たとえば、最初の１つのサブフレーム、最初の２つのサブフレーム、…、最初のＭ個のサブフレーム）に対応するＭ個のＤＣＩサイズは、スケジュールされたアップリンクサブフレームの様々な組合せをカバーする追加の変形態があり得る。たとえば、Ｍ＝４である場合、４ＤＣＩサイズでは、第１のサイズは、最高２つのサブフレームをスケジューリングすることをカバーし、第２のサイズは、３つまたは４つのサブフレームをスケジューリングすることをカバーし得る。この第２の代替は、より効果的なダウンリンク制御オーバーヘッド管理をもたらすが、ＵＥにおいてますます多くのブラインド復号がある。
【００８５】
[00111]ブロック１１０２で、基地局は、ジョイント制御チャネルとの関連のためのアグリゲーションレベルを選択する。可変ＴＴＩ送信のためにスケジュールされた複数のアップリンクサブフレームごとに制御情報を提供するジョイント制御チャネルの設計では、制御サイズは、単一または個々の制御チャネルにおけるよりもはるかに大きい可能性がある。たとえば、２０ＭＨｚのシステムでは、Ｍ＝１でのＤＣＩフォーマット０のサイズは、約４４ビットである。Ｍ＞１では、サイズは４４ビットよりもはるかに大きい可能性があり、たとえばＭ＝４である場合、サイズは、１００ビット以上程度とすることができる。その結果、新しい組のアグリゲーションレベルは、より大きい制御サイズで有益であり得る。現在、個々の制御チャネルは、１／２／４／８のアグリゲーションレベルを使用することができる。ジョイント制御チャネルでの潜在的なより大きい制御サイズを考慮して、４／８／１６／３２の新しいアグリゲーションレベルが使用され得る。この組は、さらにＭ値に応じて決まり得、これは、使用されるまたは利用可能な特定のアグリゲーションレベルまたはアグリゲーションレベルの組が、スケジュールされた、または潜在的にスケジュールされたＭ個のアップリンクサブフレームの数に基づいて選択され得ることを意味する。それに対応して、ＥＰＤＣＣＨのためのリソースセットサイズもＭに応じて決まり得る。たとえば、ＵＥは、ＥＰＤＣＣＨリソースセットの２つのインスタンスで構成され得、ここにおいて、Ｍ＝１または２では、第１のインスタンスが使用され、Ｍ＝３または４では、第２のインスタンスが使用される。
【００８６】
[00112]ＤＣＩフォーマット０および１Ａのための現在の標準下で、アップリンクとダウンリンクとの制御送信間にサイズマッチングがある。したがって、Ｍ＝１では、ＤＣＩフォーマット０および１Ａは、アップリンクおよびダウンリンクＤＣＩについて同一サイズを有する。しかしながら、Ｍ＞１であり、ダウンリンクのためのジョイント制御がない場合、アップリンクＤＣＩのジョイント制御をダウンリンクＤＣＩとサイズマッチングする必要はもはやない。
【００８７】
[00113]ブロック１１０３で、基地局は、１つまたは複数の選択されたダウンリンクサブフレーム上でジョイント制御チャネルを送信する。
【００８８】
[00114]図１１Ｂを参照すると、ＵＥ側において、ブロック１１０４で、ＵＥは、複数のアップリンクサブフレーム上の可変ＴＴＩ送信のためのジョイント制御チャネルを受信し、ブロック１１０５で、ジョイント制御チャネルに従って複数のアップリンクサブフレーム上の可変ＴＴＩ送信を送信する。本開示の様々な態様に従って構成され得るＵＥは、その構成要素および本明細書で説明する特徴を実行または制御するための様々な論理を記憶するためのメモリを有するＵＥ１２０（図５）を含み得る。
【００８９】
[00115]ジョイント制御チャネルの基礎をなす設計は、所与のフレーム構造では、セル固有またはＵＥ固有のいずれか、構成されるジョイント制御チャネルを提供することができる。セル固有の構成では、所与のセルのすべてのＵＥは、同じ組のアップリンクサブフレームをスケジュールする潜在的なアップリンク許可について、同じサブフレームを監視する。セル固有のジョイント制御チャネル構成は、より単純なｅＮＢスケジューリングを可能にする。しかしながら、すべてのＵＥの制御は、所与のダウンリンクサブフレームにあり得るので、いくつかのダウンリンクサブフレームにおける制御負荷は、他のダウンリンクサブフレームよりもはるかに大きい可能性がある。いくつかのサブフレームにおけるこの増加したサイズに対処するために、アップリンク許可が送信され得る、サブフレームにおけるより大きい制御領域など、異なる制御サイズが考えられ得る。ＵＥ固有の構成では、所与のセルの各ＵＥは、可変ＴＴＩ送信のための同じ組のアップリンクサブフレームをスケジュールする潜在的アップリンク許可について、異なるダウンリンクサブフレームを監視することができる。ＵＥ固有の構成は、サブフレームにわたるより良好な制御ロードバランシングを可能にする。しかしながら、増加したｅＮＢスケジューリングの複雑さがもたらされ得る。
【００９０】
[00116]ジョイント制御チャネルに加えて、本開示のさらなる態様は、ジョイント制御チャネルを運ぶサブフレームの後のサブフレームにおける追加の個々の制御を含み得る。これらの個々の制御チャネルは、ジョイント制御からのアップリンクスケジューリングをオーバーライドする指示を含み得る。たとえば、ジョイント制御チャネルは、サブフレームｎ−４において送信され得、個々の制御チャネルは、サブフレームｎ＋１のためにスケジュールされるアップリンク送信のために、サブフレームｎ−３において送信され得る。ＵＥは、サブフレームｎ−４におけるジョイント制御に依存する代わりに、対応するアップリンク送信のために、サブフレームｎ−３において、個々の制御チャネルに含まれる指示に従う。この個々の制御チャネルがジョイント制御チャネルからの指示および許可を修正するので、ＵＥがジョイント制御チャネルを正常に受信できない場合、ＵＥは、この不一致を扱うためのいくつかのオプションで構成され得る。第１の代替では、ＵＥは、エラーイベントとして以前のジョイント制御チャネルなしに個々の制御チャネルを受信することを扱い得る。第２の代替では、ＵＥは、ＣＣＡがクリアである限り、アップリンク許可がなかった場合であっても、第１のアップリンクサブフレームで始まるアップリンク送信を開始する。このアップリンク送信は、たとえばチャネル使用ビーコン信号（ＣＵＢＳ）など、任意の様々なタイプのアップリンク通信でもあってもよい。
【００９１】
[00117]本明細書で説明する様々な態様において、特徴は、可変ＴＴＩ送信において異なるサブフレーム上で送信される別々のトランスポートブロック（ＴＢ）を提供する。しかしながら、本開示の追加の態様は、バンドルされたＴＴＩ送信と呼ばれる異なるスケジュールされたアップリンクサブフレームのすべてを介して同じＴＢを送信することを考えることもできる。サポートされる場合、所与のフレーム構造について、ＴＴＩの予想される数が固定され得る。ＴＴＩバンドリングサイズは、一般に、フレーム構造に応じて決まる。ＴＴＩバンドリングが使用される場合、ＣＣＡクリアランスがフレームにわたって保証されないので、バンドリングは、フレーム単位で実行され得る（非クロスフレームバンドリング）。２つ以上のサブフレームにわたるＴＢの送信は、いくつかのＷｉＦｉノードの属性であり得る、特に隠れノードからの干渉と戦うのを助ける。サポートされる場合、バンドルされたＴＴＩ送信が、制御、データ、またはその両方のために実行され得ることに留意されたい。バンドルされたＴＴＩ送信の指示は、動的な方法で制御チャネルを介して行われ得る。代替的に、指示は、半静的方法でレイヤ３構成を介し得、その結果、制御チャネルを受信すると、ＵＥは、バンドルされたＴＴＩ送信が実行されるべきであることを決定することができる。
【００９２】
[00118]無認可キャリアを介した可変ＴＴＩ送信の特別な問題点により、様々な変更が、たとえばＰＵＳＣＨなど、いくつかのアップリンク信号に加えられ得る。図１２Ａおよび図１２Ｂは、本開示の一態様を実装するために実行される例示的なブロックを示す機能ブロック図である。ブロック１２００で、基地局は、複数のアップリンクサブフレーム上の可変ＴＴＩ送信のための１つまたは複数のＵＥに対する送信許可を示す制御情報を準備する。ＰＵＳＣＨパラメータは、基地局によってＤＣＩ信号を介してＵＥに提供され得る。たとえば、可変ＴＴＩ送信のためのジョイント制御チャネルにおける調整を考慮して、可変ＴＴＩ送信のためにスケジュールされたサブフレームのすべてに共通のように、クロスキャリアインジケータが提供され得る。リソース割振りで、割振りは、スケジュールされたサブフレームに共通でもよく、またはサブフレームにわたって異なってもよい。特に、以前のサブフレームよりもむしろ後のサブフレームにおいてより大きいサイズがスケジュールされるようにすることが可能であり得る。また、サブフレームホッピングが考えられる。
【００９３】
[00119]ＭＣＳとＲＶとを含む追加のＰＵＳＣＨパラメータは、異なるサブフレームについて異なってもよい。同様に、新しいデータインジケータ（ＮＤＩ）も、異なるサブフレームについて異なってもよい。たとえば、スケジュールされたＭ個のサブフレーム内で、新しいアップリンク送信を有するいくつかのサブフレームを有することが可能であり得、一方、他のサブフレームは再送信を有し得る。送信電力制御（ＴＰＣ）コマンドは、スケジュールされたサブフレームの各々の単一のコマンドまたは複数のコマンドであり得る。複数のコマンドとして構成されるとき、異なる電力コマンドは、同じまたは別々の適用のタイミング（たとえば、タイミングはバンドルにおける対応するアップリンクサブフレームとの電力制御コマンドの関連に依存し得る）を有することができる。加えて、サイクリックシフトおよび直交カバーコード（ＯＣＣ）を含む位相情報は、スケジュールされたＭ個のサブフレームにわたって同じでもよく、または異なってもよい。ダウンリンク割当てインデックス（ＤＡＩ）は、依然として単一のＤＡＩを含み得る。チャネル品質インジケータ（ＣＱＩ）要求では、要求情報は、第１のアップリンクサブフレームにおいて送信する旨の単一の要求を含み得、または要求は、すべてのスケジュールされたサブフレームにわたる送信を含み得る。代替的に、ＣＱＩ要求は、Ｍ個のサブフレームの各々の個々の要求として提供され得る。サウンディング基準信号（ＳＲＳ）要求は、ＣＱＩ要求と同様に構成され得る。ＳＲＳ要求は、すべてのスケジュールされたサブフレーム上の第１のアップリンクサブフレームにおいて送信する旨の単一の要求、またはＭ個のサブフレームの各々の個々の要求を含み得る。しかしながら、ＳＲＳがアップリンクサブフレームにおいて送信されない場合、ＵＥは、ＣＣＡ手順に準拠するためにサブフレームの全持続時間にわたってＰＵＳＣＨまたはＰＵＣＣＨを送信することになる。
【００９４】
[00120]ブロック１２０１で、基地局は、制御情報を１つまたは複数のＵＥに送信する。
【００９５】
[00121]図１２Ｂを参照すると、ＵＥ側において、ブロック１２０２で、ＵＥは、複数のアップリンクサブフレーム上の可変ＴＴＩ送信のための基地局からの送信許可を示す制御情報を受信する。ＵＥは、ブロック１２０３で、制御情報を使用して可変ＴＴＩ送信を準備する。本明細書において示されるように、基地局によって準備され、ダウンリンク制御情報とともに送られる様々なＰＵＳＣＨパラメータは、次いで、実際のＰＵＳＣＨ送信をアセンブルし、準備する際にＵＥによって使用される。ブロック１２０４で、ＵＥは、次いで、制御情報に従って複数のアップリンクサブフレーム上の可変ＴＴＩ送信を送信する。
【００９６】
[00122]ＣＡおよびＳＡモードについて、例示的なダウンリンクフレーム構造が図１３に提供される。たとえば、ダウンリンクにおけるＬＢＴは、後続のダウンリンクサブフレームをスケジュールするために、部分的なアップリンク（Ｓ’）サブフレームを介して達成され得る。図１３の例において、ＣＣＡ配置でのスロットの数は、ＣＣＡ再使用係数と呼ばれ得、図１３では７である。セル固有の（または共通）基準信号（ＣＲＳ）は、５サブフレームおきに提供され得る。サブフレームの送信のために使用される波形は、ＵＥ基準信号（ＵＥＦＳ）ベースの復調に基づき得る。
【００９７】
[00123]図１４は、例示的なアップリンクフレーム構造を示す。たとえば、フレームを制御するために、定期的な送信が使用され得る。ＣＥＴ（ＳＲＳ／ＰＲＡＣＨ／ＣＳＩ／ＳＲ）は、たとえばデューティサイクル＜５％の８０ｍｓなど、定期性を有し得る。図１４の例において、１つのスロットは、オーバーヘッド＝３．５／８０＝４．４％であるように、７スロット再利用での送信のために使用され得る。
【００９８】
[00124]再び図９を参照すると、ＣＡおよびＳＡモードのアップリンクフレーム構造を示す。アップリンクにおけるＬＢＴは、アップリンク（Ｕ）サブフレームの前にある特別な（Ｓ）サブフレームを使用して実行され得る。これによって、アップリンク（Ｕ）サブフレームをスケジュールすることができる。アップリンクＣＣＡ（ＵＣＣＡ）は、再使用係数に基づき得る。図９の例では、再使用係数は、７であり得る。同じＰＬＭＮからのＵＥは、同時にＣＣＡを実行することができる。ＣＵＢＳは、チャネル使用量を示すために使用され得る。可変ＴＴＩは、アップリンクにおいて達成され得る。アップリンクシンボルは、スケジュールされたＵＥによって使用され得る。波形は、ＲＢインターリーブドＳＣ−ＦＤＭに基づき得る。
【００９９】
[00125]再び図１０を参照すると、可変ＴＴＩを含む例示的なＵＬサブフレーム構造を示す。可変ＴＴＩは、ＣＣＡ後の連続送信のＬＢＴ規則を満たすために、アップリンクにおける連続送信を含み得る。
【０１００】
[00126]ＬＢＴを超えるＵＬ規制制約があり得る。たとえば、１つの制約は、動的周波数選択（ＤＦＳ）を含み得る。ＤＦＳは、欧州連合（ＥＵ）ルール下のマスターノード（ｅＮＢ）では必須であり得る。ＵＥは、より低電力の対象となるＤＦＳを実行する必要はない。たとえば、２３ｄＢｍの総低送信電力があり得る。１ＭＨｚの解像度帯域幅（ＲＢＷ）を有する１０ｄＢｍ／ＭＨｚの低電力スペクトル密度（ＰＳＤ）があり得る。
【０１０１】
[00127]いくつかのＥＵ帯域における占有帯域幅規制があり得る。占有チャネル帯域幅は、０．５％のエネルギーから９９．５％のエネルギーまでの周波数掃引によって定義される。たとえば、占有チャネル帯域幅は、だいたいの場合、≧０．８０ｘ公称ＢＷであり得る。事実上、８０％の公称帯域幅のスパンが必要とされ得る。ＳＣ−ＦＤＭＡベースの信号は、多くの場合、この要件を満たさない可能性がある。ＵＬ送信に対する変更が必要であり得る。
【０１０２】
[00128]再び図８を参照すると、帯域幅においてインターリーブされる１組のリソースブロックであり得る、例示的なＵＬ波形を示している。
【０１０３】
[00129]物理アップリンク共通チャネル（ＰＵＳＣＨ）は、マルチクラスタＳＣ−ＦＤＭＡに基づいて割り振られ得る。８０％の占有を満たすために、１０のＲＢの最小粒度のＲＢレベルインターリービングがあり得る。２０ＭＨｚのシステムにおいて、最高１０のＰＵＳＣＨチャネルが多重化され得る。これは、Ｓ’サブフレームにおいて短縮され得る。
【０１０４】
[00130]ＳＲＳ／Ｕ−ＣＵＢＳは、広帯域送信（９６のＲＢ）を使用し得る。１つのオプションでは、ＳＲＳ／Ｕ−ＣＵＢＳは、ＰＵＳＣＨのようにインターレースされ得る。第２のオプションでは、ＳＲＳ／Ｕ−ＣＵＢＳは、広帯域の構成では、全帯域幅であり得る。信号は、ＣＣＡ後のＳサブフレームにおいて送信され得る。これは、Ｕサブフレームの開始まで繰り返され得る。Ｌ２／Ｌ３  ＳＲＳ送信および他のＵＬ送信（デフォルトでは１）でのシーケンスの区分があり得る。この構成は、ＣＥＴサブフレームにおけるＳＲＳがスロットの最後のシンボルで送信されることを保証することができる。
【０１０５】
[00131]いくつかのＵＬチャネルは、ＳＡまたはマルチフローのみに適用可能であり得る。ＰＵＣＣＨでは、ＰＵＳＣＨに関しては、ＲＢレベルインターリービングが使用され得る。デフォルトでは１つのインターレースが使用され得る（１０ＲＢ）。各ＲＢ上で、ＵＥ  ＣＤＭ多重化が使用され得る。
【０１０６】
[00132]ＰＲＡＣＨでは、ＰＵＳＣＨに関しては、ＲＢレベルインターリービングが使用され得る。デフォルトでは１つのインターレースが使用され得る（１０ＲＢ）。ＰＲＡＣＨのＣＣＡ免除送信は、最初の６シンボルがＣＥＴスロットに含まれることを示唆し得る。
【０１０７】
[00133]たとえば、リンクバジェット損失をもたらすシンボルレベルのＴＤＭではＣＣＡオーバーヘッドが多すぎるなど、ＴＤＭよりも利点があり得る。狭帯域ミラーホッピングに勝る利点は、ＰＳＤキャップであり得るが、リンクバジェット損失につながる。しかしながら、新しいより厳しい規制を満たすことにリスクがあり得る。
【０１０８】
[00134]本明細書で説明する設計の最適化は、小さいペイロードのためのＰＵＣＣＨ／ＰＵＳＣＨ最適化を含み得る。狭帯域ミラーホッピングは、８０％の占有要件を満たすために使用され得る。
【０１０９】
[00135]代替の波形が使用され得る。同じサブフレーム上のＰＵＣＣＨ＋ＰＵＳＣＨ送信の場合は、構成されるものはすでに広帯域であり得るので、変更が必要でない可能性がある。スケジュールされていないＰＵＣＣＨの場合、チャネル帯域幅の端にパディングＲＢ（padding RB）が追加される、または
[00136]パディングＲＢは、キャリアレート指示／ＤＭ−ＲＳまたは他の情報を提供することができ、またはパディングＲＢは、多数のＵＥで多重化することができる。
【０１１０】
[00137]代替の波形の利点は、より少ないスケジューリング制限で、より高い多重化次数を含むことができる。
【０１１１】
[00138]しかしながら、１つの欠点は、規制要件のより厳しい解釈に添わないリスクを含み得る。
【０１１２】
[00139]別の例示的な波形は次の通りである。ＰＵＳＣＨ  ＰＨＹ最適化は、ＯＦＤＭに基づき得る。利点は、より良好なリンク効率を含み得る。欠点は、より少ない電力増幅器（ＰＡ）効率を含み得るが、これは、インターリーブドＲＢのベースラインがすでに高いピーク対平均電力比（ＰＡＰＲ）ピークであるので、それほど悪くない。また、これは、受け入れられる可能性が低い。
【０１１３】
[00140]図１５〜図１６および図１７〜図１９は、代替の波形オプションを示す表である。図１５は、ミラーホッピングおよびマルチクラスタ構成を有する狭帯域波形を使用する例示的な構成を示す表である。図１６は、ＴＤＭとＦＤＭとを結合した波形を使用した例示的な構成を示す別の表である。
【０１１４】
[00141]図１７は、ＴＤＭ  ＣＣＡのための例示的なサブフレーム構造を示す。ＴＤＭ  ＣＣＡは、ＵＥ間の可変ＴＴＩおよびＦＤＭの代替を提供することができる。同じグループからのＵＥは、同じ位置でＣＣＡを実行することができる。ＵＥが送信を中止する場合、ＵＥは、新しい送信の前にＣＣＡを実行することができる。チャネルは、送信バースト間にＣＣＡの機会を有するように構築され得る。最低１つのＯＦＤＭシンボルがあり得る。再利用が必要ない可能性があるので、おそらく１ＣＣＡが必要であり得る。
【０１１５】
[00142]図１８は、ＦＤＭ波形を使用した例示的な構成を示す別の表である。図１９は、ＣＤＭ波形を使用した例示的な構成を示す別の表である。
【０１１６】
[00143]図２０は、ＬＴＥ波形を使用した送信のための方法の実施形態を示す。方法は、ＵＥ、モバイルエンティティなどによって実行され得る。方法２０００は、２００２で、少なくとも最小のあらかじめ決定された帯域幅しきい値を占有する帯域幅の一部において一様に分布した少なくとも１組のリソースブロックを備えるアップリンクリソースブロック構成を決定することを含み得る。方法は、２００４で、少なくとも１組のリソースブロックにおいて送信を送ることを含み得る。
【０１１７】
[00144]図２１は、ＬＴＥ波形を使用した送信のための方法の実施形態を示す。方法は、ＵＥ、モバイルエンティティなどによって実行され得る。方法２１００は、２１０２で、クリアチャネルアセスメント（ＣＣＡ）の機会にクリアチャネルを検出することに応答してチャネル利用のためのＣＵＢＳ送信を備える指示をブロードキャストすることを含み得、ここにおいて、クリアチャネルは、しきい値未満のエネルギーレベルとして、またはＣＵＢＳ信号の検出なしとして定義される。方法は、２１０４で、ＣＵＢＳ送信の後続の少なくとも１つのサブフレームにおいて連続送信することを含み得る。
【０１１８】
[00145]図２２は、ＬＴＥ波形を使用した送信のための方法の実施形態を示す。方法は、ＵＥ、モバイルエンティティなどによって実行され得る。方法２２００は、２２０２で、チャネル帯域幅の端部におけるあらかじめ決定された１組のリソースブロック上に少なくとも第１の組の動的にスケジュールされたリソースブロックと、少なくとも第２のリソースブロックとを備えるアップリンクリソースブロック構成を決定することを含み得、リソースブロック構成は、少なくとも最小のあらかじめ決定された帯域幅しきい値を占有する。方法は、２２０４で、第１の組におけるリソースブロックのうちの少なくとも１つと、第２の組におけるリソースブロックのうちの１つとにおいて送信を送ることとを含む。
【０１１９】
[00146]図２３は、ＬＴＥ波形を使用した送信のための方法の実施形態を示す。方法は、ＵＥ、モバイルエンティティなどによって実行され得る。方法２３００は、２３０２で、複数のモバイルデバイスに割り当てられた複数のチャネル利用リソースブロックを決定することを含み得、割り当てられたものは、時分割多重化によって決定される。方法は、２３０４で、第１のクリアチャネルアセスメント（ＣＣＡ）を実行することを含み得、ＣＣＡの機会は、ＯＦＤＭシンボル持続時間の一部分を占有する。方法は、２３０６で、ＣＣＡが成功した場合、決定に基づいてチャネル利用（ＣＵＢＳ）のための指示をブロードキャストすることを含み得、ここにおいて、ＣＵＢＳ送信は、あらかじめ決定されたＯＦＤＭシンボル境界に揃えられる。方法は、２３０８で、非連続送信上の送信のための許可を受信した場合、各非連続送信の前に少なくとも第２のＣＣＡを実行することを含み得る。方法は、２３１０で、第２のＣＣＡが成功した場合、ＣＵＢＳを送信することなくスケジュールされた送信を送信することを含む。
【０１２０】
[00147]図２４を参照すると、ネットワークノード選択のために、ＵＥ、ネットワークエンティティもしくは他の適したエンティティとして、またはＵＥ、ネットワークエンティティ、もしくは他の適したエンティティ内で使用するためのプロセッサ、構成要素、もしくは類似のデバイスとして構成され得る例示的な装置２４００が提供される。装置２４００は、プロセッサ、ソフトウェア、またはそれらの組合せ（たとえば、ファームウェア）によって実装される機能を表し得る機能ブロックを含み得る。
【０１２１】
[00148]図示のように、一実施形態では、装置２４００は、少なくとも最小のあらかじめ決定された帯域幅しきい値を占有する帯域幅の一部において一様に分布した少なくとも１組のリソースブロックを備えるアップリンクリソースブロック構成を決定するための電気構成要素またはモジュール２４０２を含み得る。装置２４００は、少なくとも１組のリソースブロックにおいて送信を送るための電気構成要素またはモジュール２４０４を含み得る。
【０１２２】
[00149]関連する態様では、ネットワークエンティティとして構成された装置２４００の場合、装置２４００は、少なくとも１つのプロセッサを有するプロセッサ構成要素２４１０を任意選択で含み得る。プロセッサ２４００は、そのような場合、バス２４１２または同様の通信結合を介して構成要素２４０２〜２４０４または同様の構成要素と動作可能に通信し得る。プロセッサ２４１０は、電気構成要素またはモジュール２４０２〜２４０４によって実行される処理または機能の起動とスケジューリングとを実施し得る。
【０１２３】
[00150]さらなる関連する態様では、装置２４００は、他のネットワークエンティティと通信するためのネットワークインターフェース構成要素２４１４を含み得る。装置２４００は、たとえば、メモリデバイス／構成要素２４１６など、情報を記憶するための構成要素を任意選択で含み得る。コンピュータ可読媒体またはメモリ構成要素２４１６は、バス２４１２などを介して装置２４００の他の構成要素に動作可能に結合することができる。メモリ構成要素２４１６は、構成要素２４０２〜２４０４、およびそれらのサブ構成要素、またはプロセッサ２４１０の活動を実行するための、コンピュータ可読命令とデータとを記憶するように適応され得る。メモリ構成要素２４１６は、構成要素２４０２〜２４０４に関連する機能を実行するための命令を保持し得る。構成要素２４０２〜２４０４は、メモリ２４１６の外部にあるものとして示されているが、メモリ２４１６の内部に存在し得ることを理解されたい。
【０１２４】
[00151]図２５を参照すると、ネットワークノード選択のために、ＵＥ、ネットワークエンティティもしくは他の適したエンティティとして、またはＵＥ、ネットワークエンティティ、もしくは他の適したエンティティ内で使用するためのプロセッサ、構成要素、もしくは類似のデバイスとして構成され得る例示的な装置２５００が提供される。装置２５００は、プロセッサ、ソフトウェア、またはそれらの組合せ（たとえば、ファームウェア）によって実装される機能を表し得る機能ブロックを含み得る。
【０１２５】
[00152]図示のように、一実施形態では、装置２５００は、クリアチャネルアセスメント（ＣＣＡ）の機会にクリアチャネルを検出することに応答してチャネル利用のためのＣＵＢＳ送信を備える指示をブロードキャストするための電気構成要素またはモジュール２５０２を含み得、ここにおいて、クリアチャネルは、しきい値未満のエネルギーレベルとして、またはＣＵＢＳ信号の検出なしとして定義される。装置２５００は、ＣＵＢＳ送信の後続の少なくとも１つのサブフレームにおいて連続送信するための電気構成要素またはモジュール２５０４を含み得る。
【０１２６】
[00153]関連する態様では、ネットワークエンティティとして構成された装置２５００の場合、装置２５００は、少なくとも１つのプロセッサを有するプロセッサ構成要素２５１０を任意選択で含み得る。プロセッサ２５１０は、そのような場合、バス２５１２または同様の通信結合を介して構成要素２５０２〜２５０４または同様の構成要素と動作可能に通信し得る。プロセッサ２５１０は、電気構成要素またはモジュール２５０２〜２５０４によって実行される処理または機能の起動とスケジューリングとを実施し得る。
【０１２７】
[00154]さらなる関連する態様では、装置２５００は、他のネットワークエンティティと通信するためのネットワークインターフェース構成要素２５１４を含み得る。装置２５００は、たとえば、メモリデバイス／構成要素２５１６など、情報を記憶するための構成要素を任意選択で含み得る。コンピュータ可読媒体またはメモリ構成要素２５１６は、バス２５１２などを介して装置２５００の他の構成要素に動作可能に結合することができる。メモリ構成要素２５１６は、構成要素２５０２〜２５０４、およびそれらのサブ構成要素、またはプロセッサ２５１０の活動を実行するための、コンピュータ可読命令とデータとを記憶するように適応され得る。メモリ構成要素２５１６は、構成要素２５０２〜２５０４に関連する機能を実行するための命令を保持し得る。メモリ２５１６の外部にあるものとして示されているが、構成要素２５０２〜２５０４はメモリ２５１６の内部に存在することができることを理解されたい。
【０１２８】
[00155]図２６を参照すると、ネットワークノード選択のために、ＵＥ、ネットワークエンティティもしくは他の適したエンティティとして、またはＵＥ、ネットワークエンティティ、もしくは他の適したエンティティ内で使用するためのプロセッサ、構成要素、もしくは類似のデバイスとして構成され得る例示的な装置２６００が提供される。装置２６００は、プロセッサ、ソフトウェア、またはそれらの組合せ（たとえば、ファームウェア）によって実装される機能を表し得る機能ブロックを含み得る。
【０１２９】
[00156]図示のように、一実施形態では、装置２６００は、チャネル帯域幅の端部におけるあらかじめ決定された１組のリソースブロック上に少なくとも第１の組の動的にスケジュールされたリソースブロックと、少なくとも第２のリソースブロックとを備えるアップリンクリソースブロック構成を決定するための電気構成要素またはモジュール２６０２を含み得、リソースブロック構成は、少なくとも最小のあらかじめ決定された帯域幅しきい値を占有する。装置２６００は、第１の組におけるリソースブロックのうちの少なくとも１つと、第２の組におけるリソースブロックのうちの１つとにおいて送信を送るための電気構成要素またはモジュール２６０４を含み得る。
【０１３０】
[00157]関連する態様では、ネットワークエンティティとして構成された装置２６００の場合、装置２６００は、少なくとも１つのプロセッサを有するプロセッサ構成要素２６１０を任意選択で含み得る。プロセッサ２６１０は、そのような場合、バス２６１２または同様の通信結合を介して構成要素２６０２〜２６０４または同様の構成要素と動作可能に通信し得る。プロセッサ２６１０は、電気構成要素またはモジュール２６０２〜２６０４によって実行される処理または機能の起動とスケジューリングとを実施し得る。
【０１３１】
[00158]さらなる関連する態様では、装置２６００は、他のネットワークエンティティと通信するためのネットワークインターフェース構成要素２６１４を含み得る。装置２６００は、たとえば、メモリデバイス／構成要素２６１６など、情報を記憶するための構成要素を任意選択で含み得る。コンピュータ可読媒体またはメモリ構成要素２６１６は、バス２６１２などを介して装置２６００の他の構成要素に動作可能に結合することができる。メモリ構成要素２６１６は、構成要素２６０２〜２６０４、およびそれらのサブ構成要素、またはプロセッサ２６１０の活動を実行するための、コンピュータ可読命令とデータとを記憶するように適応され得る。メモリ構成要素２６１６は、構成要素２６０２〜２６０４に関連する機能を実行するための命令を保持し得る。メモリ２６１６の外部にあるものとして示されているが、構成要素２６０２〜２６０４はメモリ２６１６の内部に存在することができることを理解されたい。
【０１３２】
[00159]図２７を参照すると、ネットワークノード選択のために、ＵＥ、ネットワークエンティティもしくは他の適したエンティティとして、またはＵＥ、ネットワークエンティティ、もしくは他の適したエンティティ内で使用するためのプロセッサ、構成要素、もしくは類似のデバイスとして構成され得る例示的な装置２７００が提供される。装置２７００は、プロセッサ、ソフトウェア、またはそれらの組合せ（たとえば、ファームウェア）によって実装される機能を表し得る機能ブロックを含み得る。
【０１３３】
[00160]図示のように、一実施形態では、装置２７００は、複数のモバイルデバイスに割り当てられた複数のチャネル利用リソースブロックを決定するための電気構成要素またはモジュール２７０２を含み得、割り当てられたものは、時分割多重化によって決定される。装置２７００は、第１のクリアチャネルアセスメント（ＣＣＡ）を実行するための電気構成要素またはモジュール２７０４を含み得、ここにおいて、ＣＣＡの機会は、ＯＦＤＭシンボル持続時間の一部分を占有する。装置２７００は、ＣＣＡが成功した場合、電気構成要素またはモジュール２７０６を含み得、決定に基づいてチャネル利用（ＣＵＢＳ）のための指示をブロードキャストすること、ここにおいて、ＣＵＢＳ送信は、あらかじめ決定されたＯＦＤＭシンボル境界に揃えられる。装置２７００は、非連続送信上の送信のための許可を受信した場合、電気構成要素またはモジュール２７０８を含み得、各非連続送信の前に少なくとも第２のＣＣＡを実行すること。装置２７００は、第２のＣＣＡが成功した場合、ＣＵＢＳを送信することなくスケジュールされた送信を送信する電気構成要素またはモジュール２７０９を含み得る。
【０１３４】
[00161]関連する態様では、ネットワークエンティティとして構成された装置２７００の場合、装置２７００は、少なくとも１つのプロセッサを有するプロセッサ構成要素２７１０を任意選択で含み得る。プロセッサ２７１０は、そのような場合、バス２７１２または同様の通信結合を介して構成要素２７０２〜２７０９または同様の構成要素と動作可能に通信し得る。プロセッサ２７１０は、電気構成要素またはモジュール２７０２〜２７０９によって実行される処理または機能の起動とスケジューリングとを実施し得る。
【０１３５】
[00162]さらなる関連する態様では、装置２７００は、他のネットワークエンティティと通信するためのネットワークインターフェース構成要素２７１４を含み得る。装置２７００は、たとえば、メモリデバイス／構成要素２７１６など、情報を記憶するための構成要素を任意選択で含み得る。コンピュータ可読媒体またはメモリ構成要素２７１６は、バス２７１２などを介して装置２７００の他の構成要素に動作可能に結合することができる。メモリ構成要素２７１６は、構成要素２７０２〜２７０９、およびそれらのサブ構成要素、またはプロセッサ２７１０の活動を実行するための、コンピュータ可読命令とデータとを記憶するように適応され得る。メモリ構成要素２７１６は、構成要素２７０２〜２７０９に関連する機能を実行するための命令を保持し得る。メモリ２７１６の外部にあるものとして示されているが、構成要素２７０２〜２７０９はメモリ２７１６の内部に存在することができることを理解されたい。
【０１３６】
[00163]図２８を参照すると、基地局、ネットワークエンティティもしくは他の適したエンティティとして、または基地局、ネットワークエンティティ、もしくは他の適したエンティティ内で使用するためのプロセッサ、構成要素、もしくは類似のデバイスとして構成され得る例示的な装置２８００が提供される。装置２８００は、プロセッサ、ソフトウェア、またはそれらの組合せ（たとえば、ファームウェア）によって実装される機能を表し得る機能ブロックを含み得る。
【０１３７】
[00164]図示のように、一構成要素では、装置２８００は、無認可キャリアにおける複数のアップリンクサブフレーム上の可変ＴＴＩ送信のためのジョイント制御チャネルの送信のための１つまたは複数のダウンリンクサブフレームを選択するための電気構成要素またはモジュール２８０２を含み得る。装置２８００は、ジョイント制御チャネルのサイズを設定するための電気構成要素またはモジュール２８０３を含み得る。装置２８００は、ジョイント制御チャネルとの関連のためのアグリゲーションレベルを選択するための電気構成要素またはモジュール２８０４を含み得る。装置２８００は、１つまたは複数の選択されたダウンリンクサブフレーム上でジョイント制御チャネルを送信するための電気構成要素またはモジュール２８０５を含み得る。
【０１３８】
[00165]関連する態様では、ネットワークエンティティとして構成された装置２８００の場合、装置２８００は、少なくとも１つのプロセッサを有するプロセッサ構成要素２８１０を任意選択で含み得る。プロセッサ２８１０は、そのような場合、バス２８１２または同様の通信結合を介して構成要素２８０２〜２８０５または同様の構成要素と動作可能に通信し得る。プロセッサ２８１０は、電気構成要素またはモジュール２８０２〜２８０５によって実行される処理または機能の起動とスケジューリングとを実施し得る。
【０１３９】
[00166]さらなる関連する態様では、装置２８００は、他のネットワークエンティティと通信するためのネットワークインターフェース構成要素２８１４を含み得る。装置２８００は、たとえば、メモリデバイス／構成要素２８１６など、情報を記憶するための構成要素を任意選択で含み得る。コンピュータ可読媒体またはメモリ構成要素２８１６は、バス２８１２などを介して装置２８００の他の構成要素に動作可能に結合することができる。メモリ構成要素２８１６は、構成要素２８０２〜２８０５、およびそれらのサブ構成要素、またはプロセッサ２８１０の活動を実行するための、コンピュータ可読命令とデータとを記憶するように適応され得る。メモリ構成要素２８１６は、構成要素２８０２〜２８０５に関連する機能を実行するための命令を保持し得る。メモリ２８１６の外部にあるものとして示されているが、構成要素２８０２〜２８０５はメモリ２８１６の内部に存在することができることを理解されたい。
【０１４０】
[00167]図２９を参照すると、ネットワークノード選択のために、ＵＥ、ネットワークエンティティもしくは他の適したエンティティとして、またはＵＥ、ネットワークエンティティ、もしくは他の適したエンティティ内で使用するためのプロセッサ、構成要素、もしくは類似のデバイスとして構成され得る例示的な装置２９００が提供される。装置２９００は、プロセッサ、ソフトウェア、またはそれらの組合せ（たとえば、ファームウェア）によって実装される機能を表し得る機能ブロックを含み得る。
【０１４１】
[00168]図示のように、一構成要素では、装置２９００は、無認可キャリアにおける複数のアップリンクサブフレーム上の可変ＴＴＩ送信のためのジョイント制御チャネルを受信するための電気構成要素またはモジュール２９０２を含み得る。装置２９００は、ジョイント制御チャネルに従って、複数のアップリンクサブフレーム上の可変ＴＴＩ送信を送信するための電気構成要素またはモジュール２９０４を含み得る。
【０１４２】
[00169]関連する態様では、ネットワークエンティティとして構成された装置２９００の場合、装置２９００は、少なくとも１つのプロセッサを有するプロセッサ構成要素２９１０を任意選択で含み得る。プロセッサ２９１０は、そのような場合、バス２９１２または同様の通信結合を介して構成要素２９０２〜２９０４または同様の構成要素と動作可能に通信し得る。プロセッサ２９１０は、電気構成要素またはモジュール２９０２〜２９０４によって実行される処理または機能の起動とスケジューリングとを実施し得る。
【０１４３】
[00170]さらなる関連する態様では、装置２９００は、他のネットワークエンティティと通信するためのネットワークインターフェース構成要素２９１４を含み得る。装置２９００は、たとえば、メモリデバイス／構成要素２９１６など、情報を記憶するための構成要素を任意選択で含み得る。コンピュータ可読媒体またはメモリ構成要素２９１６は、バス２９１２などを介して装置２９００の他の構成要素に動作可能に結合することができる。メモリ構成要素２９１６は、構成要素２９０２〜２９０４、およびそれらのサブ構成要素、またはプロセッサ２９１０の活動を実行するための、コンピュータ可読命令とデータとを記憶するように適応され得る。メモリ構成要素２９１６は、構成要素２９０２〜２９０４に関連する機能を実行するための命令を保持し得る。メモリ２９１６の外部にあるものとして示されているが、構成要素２９０２〜２９０４はメモリ２９１６の内部に存在することができることを理解されたい。
【０１４４】
[00171]図３０を参照すると、ネットワークノード選択のために、基地局、ネットワークエンティティもしくは他の適したエンティティとして、または基地局、ネットワークエンティティ、もしくは他の適したエンティティ内で使用するためのプロセッサ、構成要素、もしくは類似のデバイスとして構成され得る例示的な装置３０００が提供される。装置３０００は、プロセッサ、ソフトウェア、またはそれらの組合せ（たとえば、ファームウェア）によって実装される機能を表し得る機能ブロックを含み得る。
【０１４５】
[00172]図示のように、一構成要素では、装置３０００は、無認可キャリアにおける複数のアップリンクサブフレーム上の可変ＴＴＩ送信のための１つまたは複数のＵＥに対する送信許可を示す制御情報を準備するための電気構成要素またはモジュール３００２を含み得る。装置３０００は、制御情報を１つまたは複数のＵＥに送信するための電気構成要素またはモジュール３００４を含み得る。
【０１４６】
[00173]関連する態様では、ネットワークエンティティとして構成された装置３０００の場合、装置３０００は、少なくとも１つのプロセッサを有するプロセッサ構成要素３０１０を任意選択で含み得る。プロセッサ３０１０は、そのような場合、バス３０１２または同様の通信結合を介して構成要素３００２〜３００４または同様の構成要素と動作可能に通信し得る。プロセッサ３０１０は、電気構成要素またはモジュール３００２〜３００４によって実行される処理または機能の起動とスケジューリングとを実施し得る。
【０１４７】
[00174]さらなる関連する態様では、装置３０００は、他のネットワークエンティティと通信するためのネットワークインターフェース構成要素３０１４を含み得る。装置３０００は、たとえば、メモリデバイス／構成要素３０１６など、情報を記憶するための構成要素を任意選択で含み得る。コンピュータ可読媒体またはメモリ構成要素３０１６は、バス３０１２などを介して装置３０００の他の構成要素に動作可能に結合することができる。メモリ構成要素３０１６は、構成要素３００２〜３００４、およびそれらのサブ構成要素、またはプロセッサ３０１０の活動を実行するための、コンピュータ可読命令とデータとを記憶するように適応され得る。メモリ構成要素３０１６は、構成要素３００２〜３００４に関連する機能を実行するための命令を保持し得る。メモリ３０１６の外部にあるものとして示されているが、構成要素３００２〜３００４はメモリ３０１６の内部に存在することができることを理解されたい。
【０１４８】
[00175]図３１を参照すると、ネットワークノード選択のために、ＵＥ、ネットワークエンティティもしくは他の適したエンティティとして、またはＵＥ、ネットワークエンティティ、もしくは他の適したエンティティ内で使用するためのプロセッサ、構成要素、もしくは類似のデバイスとして構成され得る例示的な装置３１００が提供される。装置３１００は、プロセッサ、ソフトウェア、またはそれらの組合せ（たとえば、ファームウェア）によって実装される機能を表し得る機能ブロックを含み得る。
【０１４９】
[00176]図示のように、一構成要素では、装置３１００は、無認可キャリアにおける複数のアップリンクサブフレーム上の可変ＴＴＩ送信のための基地局からの送信許可を示す制御情報を受信するための電気構成要素またはモジュール３１０２を含み得る。装置３１００は、制御情報を使用して可変ＴＴＩ送信を準備するための電気構成要素またはモジュール３１０４を含み得る。装置３１００は、制御情報に従って、複数のアップリンクサブフレーム上の可変ＴＴＩ送信を送信するための電気構成要素またはモジュール３１０６を含み得る。
【０１５０】
[00177]関連する態様では、ネットワークエンティティとして構成された装置３１００の場合、装置３１００は、少なくとも１つのプロセッサを有するプロセッサ構成要素３１１０を任意選択で含み得る。プロセッサ３１１０は、そのような場合、バス３１１２または同様の通信結合を介して構成要素３１０２〜３１０６または同様の構成要素と動作可能に通信し得る。プロセッサ３１１０は、電気構成要素またはモジュール３１０２〜３１０６によって実行される処理または機能の起動とスケジューリングとを実施し得る。
【０１５１】
[00178]さらなる関連する態様では、装置３１００は、他のネットワークエンティティと通信するためのネットワークインターフェース構成要素３１１４を含み得る。装置３１００は、たとえば、メモリデバイス／構成要素３１１６など、情報を記憶するための構成要素を任意選択で含み得る。コンピュータ可読媒体またはメモリ構成要素３１１６は、バス３１１２などを介して装置３１００の他の構成要素に動作可能に結合することができる。メモリ構成要素３１１６は、構成要素３１０２〜３１０６、およびそれらのサブ構成要素、またはプロセッサ３１１０の活動を実行するための、コンピュータ可読命令とデータとを記憶するように適応され得る。メモリ構成要素３１１６は、構成要素３１０２〜３１０６に関連する機能を実行するための命令を保持し得る。メモリ３１１６の外部にあるものとして示されているが、構成要素３１０２〜３１０６はメモリ３１１６の内部に存在することができることを理解されたい。
【０１５２】
[00179]情報および信号は様々な異なる技術および技法のいずれかを使用して表され得ることを、当業者は理解されよう。たとえば、説明全体を通じて参照され得るデータ、命令、コマンド、情報、信号、ビット、シンボル、およびチップは、電圧、電流、電磁波、磁場または磁気粒子、光場または光粒子、あるいはそれらの任意の組合せによって表現され得る。
【０１５３】
[00180]本明細書で本開示に関連して説明した様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアとソフトウェアのこの互換性を明確に示すために、様々な例示的な構成要素、ブロック、モジュール、回路、およびステップが、概してそれらの機能に関して説明されている。そのような機能性がハードウェアとして実装されるか、またはソフトウェアとして実装されるかは、システム全体に課される特定のアプリケーションおよび設計制約に依存する。当業者は、説明した機能性を特定の適用例ごとに様々な方法で実装し得るが、そのような実装の決定は、本開示の範囲からの逸脱を生じるものと解釈すべきではない。
【０１５４】
[00181]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアに関連する１つまたは複数のマイクロプロセッサ、または任意の他のそのような構成としても実施され得る。
【０１５５】
[00182]本明細書で開示される実施形態に関連して説明される方法またはアルゴリズムのステップは、ハードウェアで直接的に、プロセッサによって実行されるソフトウェアモジュールで、またはその２つ組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取外し可能ディスク、ＣＤ−ＲＯＭ、または当技術分野で周知の任意の他の形態の記憶媒体内に常駐し得る。例示的記憶媒体は、プロセッサが記憶媒体から情報を読み取り、記憶媒体に情報を書き込むことができるようにプロセッサに結合される。代替として、記憶媒体は、プロセッサと一体化され得る。プロセッサおよび記憶媒体は、ＡＳＩＣ内に存在することができる。ＡＳＩＣはユーザ端末内にあり得る。代替として、プロセッサおよび記憶媒体は、ユーザ端末中の個別構成要素として存在し得る。
【０１５６】
[00183]１つまたは複数の例示的設計では、説明される機能は、ハードウェア、ソフトウェア、ファームウェア、またはそれらの任意の組合せで実装され得る。ソフトウェアで実施される場合に、機能は、コンピュータ可読媒体上の１つまたは複数の命令またはコードとして記憶されまたは伝送され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、どの接続も、送信信号の非一時的記憶を伴う限り、コンピュータ可読媒体と適切に呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、任意の非一時的な期間、信号が記憶媒体またはデバイスメモリ上の送信チェーン内に保持される限り、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上の組合せも、コンピュータ可読媒体の範囲の中に含まれるべきである。
【０１５７】
[00184]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
以下に本願の出願当初の特許請求の範囲に記載された発明を付記する。
［Ｃ１］
モバイルデバイスによって動作可能なワイヤレス通信のための方法であって、
少なくとも最小のあらかじめ決定された帯域幅しきい値を占有する帯域幅の一部において一様に分布した少なくとも１組のリソースブロックを備えるアップリンクリソースブロック構成を決定することと、
前記少なくとも１組の前記リソースブロックにおいて送信を送ることと
を備える方法。
［Ｃ２］
前記前記最小のあらかじめ決定された帯域幅しきい値が、基地局によってサービスされるすべてのモバイルデバイスについて同じである、Ｃ１に記載の方法。
［Ｃ３］
前記前記最小のあらかじめ決定された帯域幅しきい値が、ブロードキャストメッセージ中でシグナリングされる、Ｃ２に記載の方法。
［Ｃ４］
前記少なくとも１組のリソースブロックの各々が１つのサブフレーム上のＰＵＳＣＨ、ＰＵＣＣＨ、またはＰＲＡＣＨのうちの１つに割り当てられる、Ｃ１に記載の方法。
［Ｃ５］
前記送信を送ることが、複数のＯＦＤＭシンボル上の前記少なくとも１組の前記リソースブロックにおいてサウンド基準信号（ＳＲＳ）、チャネル利用ビーコン信号（ＣＵＢＳ）のうちの少なくとも１つを送ることを備える、Ｃ１に記載の方法。
［Ｃ６］
前記少なくとも１つのリソースブロックが、複数のモバイルデバイスに割り振られる直交するリソースブロックの組を備える、Ｃ１に記載の方法。
［Ｃ７］
前記少なくとも１つのリソースブロックが、直交するリソースブロックの組を備え、各組が複数のモバイルデバイスに割り当てられ、ＰＵＳＣＨが前記モバイルデバイスの中で空間多重化され、ＰＤＣＣＨ、ＳＲＳ、ＰＲＡＣＨのうちの少なくとも１つが前記モバイルデバイスの中で符号分割多重化される、Ｃ１に記載の方法。
［Ｃ８］
前記少なくとも１組の前記リソースブロックにおける送信のためにＳＲＳまたはＣＵＢＳのうちの１つの割当てを受信することをさらに備え、
ＳＲＳおよびＣＵＢＳのためのコードシーケンスが区分され、
複数のＵＥからのＣＵＢＳのためのコードシーケンスが直交していない
Ｃ１に記載の方法。
［Ｃ９］
ＰＲＡＣＨ送信またはＳＲＳのために確保された１組のリソースブロックにおいて前記ＰＲＡＣＨ送信またはＳＲＳのうちの少なくとも１つを送信することをさらに備えるＣ８に記載の方法。
［Ｃ１０］
前記アップリンクリソースブロック構成が直交周波数分割多重化に基づく、Ｃ１に記載の方法。
［Ｃ１１］
装置であって、
少なくとも最小のあらかじめ決定された帯域幅しきい値を占有する帯域幅の一部において一様に分布した少なくとも１組のリソースブロックを備えるアップリンクリソースブロック構成を決定するための手段と、
前記少なくとも１組の前記リソースブロックにおいて送信を送るための手段と
を備える装置。
［Ｃ１２］
装置であって、
少なくとも最小のあらかじめ決定された帯域幅しきい値を占有する帯域幅の一部において一様に分布した少なくとも１組のリソースブロックを備えるアップリンクリソースブロック構成を決定するために構成された少なくとも１つのプロセッサと、
前記少なくとも１組の前記リソースブロックにおいて送信を送るために構成されたトランシーバと、
前記少なくとも１つのプロセッサに結合された、データを記憶するためのメモリと
を備える装置。
［Ｃ１３］
コンピュータプログラム製品であって、
少なくとも１つのコンピュータに、
少なくとも最小のあらかじめ決定された帯域幅しきい値を占有する帯域幅の一部において一様に分布した少なくとも１組のリソースブロックを備えるアップリンクリソースブロック構成を決定させ、
前記少なくとも１組の前記リソースブロックにおいて送信を送らせる
ためのコードを記憶するコンピュータ可読媒体
を備えるコンピュータプログラム製品。
［Ｃ１４］
モバイルデバイスによって動作可能なワイヤレス通信のための方法であって、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストすることと、ここにおいて、前記クリアチャネルが、しきい値未満のエネルギーレベルとして、またはＣＵＢＳ信号の検出なしとして定義される、
前記ＣＵＢＳ送信の後続の少なくとも１つのサブフレームにおいて連続送信することと  を備える方法。
［Ｃ１５］
前記ＣＣＡの機会が、ＯＦＤＭシンボル持続時間の一部分を占有し、
前記ＣＵＢＳ送信が、あらかじめ決定されたＯＦＤＭシンボル境界に揃えられる
Ｃ１４に記載の方法。
［Ｃ１６］
前記第１のＣＣＡの機会が複数の連続した機会のうちの１つであり、前記割り当てられたＣＣＡの機会がグループメンバーシップに基づく、Ｃ１５に記載の方法。
［Ｃ１７］
前記グループメンバーシップがＰＬＭＮメンバーシップである、Ｃ１６に記載の方法。
［Ｃ１８］
前記チャネル利用の機会が、多目的サブフレームのうちの少なくとも一部を備え、前記多目的サブフレームの残りが、ダウンリンク送信、ＣＵＢＳ送信、およびガード期間のために確保されている、Ｃ１４に記載の方法。
［Ｃ１９］
チャネル利用のための前記指示が割り当てられたＳＲＳに基づく、Ｃ１４に記載の方法。
［Ｃ２０］
装置であって、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストするための手段と、ここにおいて、前記クリアチャネルが、しきい値未満のエネルギーレベルとして、またはＣＵＢＳ信号の検出なしとして定義される、
前記ＣＵＢＳ送信の後続の少なくとも１つのサブフレームにおいて連続送信するための手段と
を備える装置。
［Ｃ２１］
装置であって、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストするために構成されたトランシーバと、ここにおいて、前記クリアチャネルが、しきい値未満のエネルギーレベルとして、またはＣＵＢＳ信号の検出なしとして定義される、および、前記ＣＵＢＳ送信の後続の少なくとも１つのサブフレームにおいて連続送信するために構成された、
前記少なくとも１つのプロセッサに結合された、データを記憶するためのメモリと
を備える装置。
［Ｃ２２］
コンピュータプログラム製品であって、
少なくとも１つのコンピュータに、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストさせ、ここにおいて、クリアチャネルが、しきい値未満のエネルギーレベルとして、またはＣＵＢＳ信号の検出なしとして定義される、
前記ＣＵＢＳ送信の後続の少なくとも１つのサブフレームにおいて連続送信させる
ためのコードを記憶するコンピュータ可読媒体
を備えるコンピュータプログラム製品。
［Ｃ２３］
モバイルデバイスによって動作可能なワイヤレス通信のための方法であって、
前記チャネル帯域幅の前記端部におけるあらかじめ決定された１組のリソースブロック上に少なくとも第１の組の動的にスケジュールされたリソースブロックと、少なくとも第２のリソースブロックとを備えるアップリンクリソースブロック構成を決定することと、前記リソースブロック構成が、少なくとも最小のあらかじめ決定された帯域幅しきい値を占有する、
前記第１の組における前記リソースブロックのうちの前記少なくとも１つと、前記第２の組における前記リソースブロックのうちの１つとにおいて送信を送ることと
を備える方法。
［Ｃ２４］
前記最小のあらかじめ決定された帯域幅しきい値が、基地局によってサービスされるすべてのモバイルデバイスについて同じである、Ｃ２３に記載の方法。
［Ｃ２５］
前記最小のあらかじめ決定された帯域幅しきい値が、ブロードキャストメッセージ中でシグナリングされる、Ｃ２４に記載の方法。
［Ｃ２６］
前記あらかじめ決定された１組のリソースブロックが、ブロードキャストメッセージ中でシグナリングされ、
モバイルデバイスが、ＲＲＣ構成または（ｅ）ＰＤＣＣＨシグナリングに基づいて前記組における前記リソースブロックのうちの少なくとも１つにおいて送信するように構成される
Ｃ２３に記載の方法。
［Ｃ２７］
前記あらかじめ決定された１組のリソースブロックが、ユニキャストメッセージ中でシグナリングされ、
モバイルデバイスが、（ｅ）ＰＤＣＣＨシグナリングに基づいて前記組における前記リソースブロックのうちの少なくとも１つにおいて送信するように構成される
Ｃ２３に記載の方法。
［Ｃ２８］
前記少なくとも１つのリソースブロックの各々がＰＵＳＣＨ、ＰＵＣＣＨ、またはＰＲＡＣＨのうちの１つに割り当てられる、Ｃ２３に記載の方法。
［Ｃ２９］
少なくとも前記第２のリソースブロックについての前記あらかじめ決定された１組のリソースブロックが、複数のモバイルデバイス間で多重化される、Ｃ２３に記載の方法。
［Ｃ３０］
複数のモバイルデバイス間の前記多重化が、符号分割多元接続に基づく、Ｃ２３に記載の方法。
［Ｃ３１］
装置であって、
前記チャネル帯域幅の前記端部におけるあらかじめ決定された１組のリソースブロック上に少なくとも第１の組の動的にスケジュールされたリソースブロックと、少なくとも第２のリソースブロックとを備えるアップリンクリソースブロック構成を決定するための手段と、前記リソースブロック構成が、少なくとも最小のあらかじめ決定された帯域幅しきい値を占有する、
前記第１の組における前記リソースブロックのうちの前記少なくとも１つと、前記第２の組における前記リソースブロックのうちの１つとにおいて送信を送るための手段と
を備える装置。
［Ｃ３２］
装置であって、
前記チャネル帯域幅の前記端部におけるあらかじめ決定された１組のリソースブロック上に少なくとも第１の組の動的にスケジュールされたリソースブロックと、少なくとも第２のリソースブロックとを備えるアップリンクリソースブロック構成を決定するために構成された少なくとも１つのプロセッサと、前記リソースブロック構成が、少なくとも最小のあらかじめ決定された帯域幅しきい値を占有する、
前記第１の組における前記リソースブロックのうちの前記少なくとも１つと、前記第２の組における前記リソースブロックのうちの１つとにおいて送信を送るために構成されたトランシーバと、
前記少なくとも１つのプロセッサに結合された、データを記憶するためのメモリと
を備える装置。
［Ｃ３３］
コンピュータプログラム製品であって、
少なくとも１つのコンピュータに、
前記チャネル帯域幅の前記端部におけるあらかじめ決定された１組のリソースブロック上に少なくとも第１の組の動的にスケジュールされたリソースブロックと、少なくとも第２のリソースブロックとを備えるアップリンクリソースブロック構成を決定させ、前記リソースブロック構成が、少なくとも最小のあらかじめ決定された帯域幅しきい値を占有する、
前記第１の組における前記リソースブロックのうちの前記少なくとも１つと、前記第２の組における前記リソースブロックのうちの１つとにおいて送信を送らせる
ためのコードを記憶するコンピュータ可読媒体
を備えるコンピュータプログラム製品。
［Ｃ３４］
モバイルデバイスによって動作可能なワイヤレス通信のための方法であって、
複数のモバイルデバイスに割り当てられた複数のチャネル利用リソースブロックを決定することと、前記割り当てられたものが、時分割多重化によって決定される、
第１のクリアチャネルアセスメント（ＣＣＡ）を実行することと、ここにおいて、前記ＣＣＡの機会が、ＯＦＤＭシンボル持続時間の一部分を占有する、
ＣＣＡが成功した場合、前記決定に基づいてチャネル使用ビーコン信号（ＣＵＢＳ）としてチャネル利用のための指示をブロードキャストすることと、ここにおいて、前記ＣＵＢＳ送信が、あらかじめ決定されたＯＦＤＭシンボル境界に揃えられる、
非連続送信上の送信のための許可を受信した場合、各非連続送信の前に少なくとも第２のＣＣＡを実行することと、
前記第２のＣＣＡが成功した場合、ＣＵＢＳを送信することなく前記スケジュールされた送信を送信することと
を備える方法。
［Ｃ３５］
前記第１のＣＣＡの機会、複数の連続した機会のうちの１つ、前記割り当てられたＣＣＡの機会がグループメンバーシップに基づく、Ｃ３４に記載の方法。
［Ｃ３６］
前記グループメンバーシップがＰＬＭＮである、Ｃ３５に記載の方法。
［Ｃ３７］
前記第２のＣＣＡの機会が単一の機会である、Ｃ３４に記載の方法。
［Ｃ３８］
装置であって、
複数のモバイルデバイスに割り当てられた複数のチャネル利用リソースブロックを決定するための手段と、前記割り当てられたものが、時分割多重化によって決定される、
第１のクリアチャネルアセスメント（ＣＣＡ）を実行するための手段と、ここにおいて、前記ＣＣＡの機会が、ＯＦＤＭシンボル持続時間の一部分を占有する、
ＣＣＡが成功した場合、前記決定に基づいてチャネル使用ビーコン信号（ＣＵＢＳ）としてチャネル利用のための指示をブロードキャストするための手段と、ここにおいて、前記ＣＵＢＳ送信が、あらかじめ決定されたＯＦＤＭシンボル境界に揃えられる、
非連続送信上の送信のための許可を受信した場合、各非連続送信の前に少なくとも第２のＣＣＡを実行するための手段と、
前記第２のＣＣＡが成功した場合、ＣＵＢＳを送信することなく、前記スケジュールされた送信を送信するための手段と
を備える装置。
［Ｃ３９］
装置であって、
複数のモバイルデバイスに割り当てられた複数のチャネル利用リソースブロックを決定するために構成され、前記割り当てられたものが、時分割多重化によって決定される、および
第１のクリアチャネルアセスメント（ＣＣＡ）を実行するために構成された少なくとも１つのプロセッサと、ここにおいて、前記ＣＣＡの機会が、ＯＦＤＭシンボル持続時間の一部分を占有する、
ＣＣＡが成功した場合、前記決定に基づいてチャネル使用ビーコン信号（ＣＵＢＳ）としてチャネル利用のための指示をブロードキャストするために構成され、ここにおいて、前記ＣＵＢＳ送信が、あらかじめ決定されたＯＦＤＭシンボル境界に揃えられる、
非連続送信上の送信のための許可を受信した場合、各非連続送信の前に少なくとも第２のＣＣＡを実行するために構成され、
前記第２のＣＣＡが成功した場合、ＣＵＢＳを送信することなく、前記スケジュールされた送信を送信するために構成された
トランシーバと、
前記少なくとも１つのプロセッサに結合された、データを記憶するためのメモリと
を備える装置。
［Ｃ４０］
コンピュータプログラム製品であって、
少なくとも１つのコンピュータに、
複数のモバイルデバイスに割り当てられた複数のチャネル利用リソースブロックを決定させ、前記割り当てられたものが、時分割多重化によって決定される、
第１のクリアチャネルアセスメント（ＣＣＡ）を実行させ、ここにおいて、前記ＣＣＡの機会が、ＯＦＤＭシンボル持続時間の一部分を占有する、
ＣＣＡが成功した場合、前記決定に基づいてチャネル使用ビーコン信号（ＣＵＢＳ）としてチャネル利用のための指示をブロードキャストさせ、ここにおいて、前記ＣＵＢＳ送信が、あらかじめ決定されたＯＦＤＭシンボル境界に揃えられる、
非連続送信上の送信のための許可を受信した場合、各非連続送信の前に少なくとも第２のＣＣＡを実行させ、
前記第２のＣＣＡが成功した場合、ＣＵＢＳを送信することなく、前記スケジュールされた送信を送信させる
ためのコードを記憶するコンピュータ可読媒体
を備えるコンピュータプログラム製品。
［Ｃ４１］
ワイヤレス通信の方法であって、
基地局によって、無認可キャリアにおける複数のアップリンクサブフレーム上の可変送信時間間隔（ＴＴＩ）送信のためのジョイント制御チャネルの送信のための１つまたは複数のダウンリンクサブフレームを選択することと、
前記基地局によって、前記ジョイント制御チャネルのサイズを設定することと、
前記基地局によって、前記ジョイント制御チャネルとの関連のためのアグリゲーションレベルを選択することと、
前記基地局によって、前記１つまたは複数の選択されたダウンリンクサブフレーム上で前記ジョイント制御チャネルを送信することと
を備える方法。
［Ｃ４２］
前記選択することが、
前記可変ＴＴＩ送信に関連付けられた第１のスケジュールされたアップリンクサブフレームより前に少なくとも４つのサブフレームを第１のダウンリンクサブフレームにおいて開始することを選択すること
を含む、Ｃ４１に記載の方法。
［Ｃ４３］
前記選択された１つまたは複数のダウンリンクサブフレームが、セル固有またはＵＥ固有のうちの１つである、Ｃ４１に記載の方法。
［Ｃ４４］
前記ジョイント制御チャネルがセル固有であり、前記方法が、
前記基地局によってサービスされるセルにある各ＵＥに関連付けられた前記ジョイント制御チャネルにおけるアップリンク許可を追加すること
をさらに備える、Ｃ４３に記載の方法。
［Ｃ４５］
前記ジョイント制御チャネルがＵＥ固有であり、前記方法が、
前記１つまたは複数の選択されたダウンリンクサブフレームのうちの１つを前記特定のＵＥに関連付けられたアップリンク許可のために前記特定のＵＥに割り当てること
をさらに備える、Ｃ４３に記載の方法。
［Ｃ４６］
前記サイズが、すべての利用可能なアップリンクサブフレームがアップリンク送信のためにスケジュールされることを前提とする固定の制御サイズである、Ｃ４１に記載の方法。
［Ｃ４７］
前記サイズが、前記可変ＴＴＩ送信のための１つまたは複数の利用可能なアップリンクサブフレームに従って選択される２つ以上の制御サイズを含む、Ｃ４１に記載の方法。
［Ｃ４８］
前記アグリゲーションレベルを前記選択することが、
前記可変ＴＴＩ送信のための利用可能なアップリンクサブフレームに応じて、複数のアグリゲーションレベルから前記アグリゲーションレベルを選択すること
を含む、Ｃ４１に記載の方法。
［Ｃ４９］
前記可変ＴＴＩ送信のための利用可能なアップリンクサブフレームに応じて、ダウンリンク制御チャネルのためのリソースセットサイズを選択すること、
をさらに備えるＣ４１に記載の方法。
［Ｃ５０］
前記基地局において、前記ジョイント制御チャネル内に含まれる制御情報を有する複数のＵＥのユーザ機器（ＵＥ）のための追加の制御情報を有する個々の制御チャネルを生成することと、
前記個々の制御チャネルを前記ＵＥに送信することと、ここにおいて、
前記個々の制御チャネル内に含まれる前記追加の制御情報が、前記ジョイント制御チャネルに含まれる前記ＵＥのための制御情報に取って代わる、
をさらに備えるＣ４１に記載の方法。
［Ｃ５１］
前記基地局によって、前記可変ＴＴＩ送信のために指定される前記複数のアップリンクサブフレームの各々を介して同じトランスポートブロックを送信することを、ユーザ機器（ＵＥ）のための前記ジョイント制御チャネルにおいて示すこと
をさらに備えるＣ４１に記載の方法。
［Ｃ５２］
前記同じトランスポートブロックが、アップリンク制御信号とアップリンクデータ信号とのうちの１つまたは複数を含む、Ｃ５１に記載の方法。
［Ｃ５３］
ワイヤレス通信のために構成された装置であって、
基地局によって、無認可キャリアにおける複数のアップリンクサブフレーム上の可変送信時間間隔（ＴＴＩ）送信のためのジョイント制御チャネルの送信のための１つまたは複数のダウンリンクサブフレームを選択するための手段と、
前記基地局によって、前記ジョイント制御チャネルのサイズを設定するための手段と、  前記基地局によって、前記ジョイント制御チャネルとの関連のためのアグリゲーションレベルを選択するための手段と、
前記基地局によって、前記１つまたは複数の選択されたダウンリンクサブフレーム上で前記ジョイント制御チャネルを送信するための手段と
を備える装置。
［Ｃ５４］
ワイヤレスネットワークにおけるワイヤレス通信のためのコンピュータプログラム製品であって、
プログラムコードを記録した非一時的コンピュータ可読媒体を備え、前記プログラムコードが、
コンピュータに、基地局によって、無認可キャリアにおける複数のアップリンクサブフレーム上の可変送信時間間隔（ＴＴＩ）送信のためのジョイント制御チャネルの送信のための１つまたは複数のダウンリンクサブフレームを選択させるためのプログラムコードと、
前記コンピュータに、前記基地局によって、前記ジョイント制御チャネルのサイズを設定させるためのプログラムコードと、
前記コンピュータに、前記基地局によって、前記ジョイント制御チャネルとの関連のためのアグリゲーションレベルを選択させるためのプログラムコードと、
前記コンピュータに、前記基地局によって、前記１つまたは複数の選択されたダウンリンクサブフレーム上で前記ジョイント制御チャネルを送信させるためのプログラムコードと
を含む、コンピュータプログラム製品。
［Ｃ５５］
ワイヤレス通信のために構成された装置であって、
少なくとも１つのプロセッサと、
前記少なくとも１つのプロセッサに結合されたメモリと、
を備え、前記少なくとも１つのプロセッサが、
基地局によって、無認可キャリアにおける複数のアップリンクサブフレーム上の可変送信時間間隔（ＴＴＩ）送信のためのジョイント制御チャネルの送信のための１つまたは複数のダウンリンクサブフレームを選択し、
前記基地局によって、前記ジョイント制御チャネルのサイズを設定し、
前記基地局によって、前記ジョイント制御チャネルとの関連のためのアグリゲーションレベルを選択し、
前記基地局によって、前記１つまたは複数の選択されたダウンリンクサブフレーム上で前記ジョイント制御チャネルを送信する
ように構成される、装置。
［Ｃ５６］
ワイヤレス通信の方法であって、
１つまたは複数のダウンリンクサブフレーム上で基地局からユーザ機器（ＵＥ）によって、無認可キャリアにおける複数のアップリンクサブフレーム上の可変送信時間間隔（ＴＴＩ）送信のためのジョイント制御チャネルを受信することと、
前記ＵＥによって、前記ジョイント制御チャネルに従って、前記複数のアップリンクサブフレーム上の前記可変ＴＴＩ送信を送信することと
を備える方法。
［Ｃ５７］
前記１つまたは複数のダウンリンクサブフレームが、前記可変ＴＴＩ送信に関連付けられた第１のスケジュールされたアップリンクサブフレームより前に少なくとも４つのサブフレームを第１のダウンリンクサブフレームにおいて開始する、Ｃ５６に記載の方法。
［Ｃ５８］
前記ＵＥのために識別されたアップリンク許可について前記１つまたは複数のダウンリンクサブフレーム上の前記ジョイント制御チャネルを監視すること
をさらに備えるＣ５６に記載の方法。
［Ｃ５９］
前記ＵＥを対象とするアップリンク許可を有する前記ジョイント制御チャネルについて前記ＵＥのために識別された前記１つまたは複数のダウンリンクサブフレームのうちの１つまたは複数を監視すること
をさらに備えるＣ５６に記載の方法。
［Ｃ６０］
前記ジョイント制御チャネルのサイズが、すべての利用可能なアップリンクサブフレームがアップリンク送信のためにスケジュールされることを前提とする固定の制御サイズである、Ｃ５６に記載の方法。
［Ｃ６１］
前記ジョイント制御チャネルの前記サイズが、前記可変ＴＴＩ送信のための１つまたは複数の利用可能なアップリンクサブフレームに従って選択される２つ以上の制御サイズのうちの１つを含む、Ｃ５６に記載の方法。
［Ｃ６２］
前記基地局から受信されたアグリゲーションレベルを使用して前記ジョイント制御チャネルからの制御情報をマッピングすることをさらに備え、ここにおいて、前記アグリゲーションレベルが、前記可変ＴＴＩ送信のための利用可能なアップリンクサブフレームに応じて選択された複数のアグリゲーションレベルのうちの１つである
Ｃ５６に記載の方法。
［Ｃ６３］
ダウンリンク制御チャネルのためのリソースセットサイズ指示を受信することをさらに備え、ここにおいて、前記リソースセットサイズが、前記可変ＴＴＩ送信のための利用可能なアップリンクサブフレームに応じて決まる
Ｃ５６に記載の方法。
［Ｃ６４］
前記基地局から前記ＵＥにおいて、前記ＵＥのための追加の制御情報を有する個々の制御チャネルを受信することをさらに備え、ここにおいて、前記ＵＥが、前記ジョイント制御チャネル内に含まれる以前の制御情報を有し、前記個々の制御チャネル内に含まれる前記追加の制御情報が、前記ジョイント制御チャネルに含まれる前記以前の制御情報に取って代わる
Ｃ５６に記載の方法。
［Ｃ６５］
前記ジョイント制御チャネルが前記ＵＥによって正常に受信されず、前記方法が、前記ジョイント制御チャネルが正常に受信されないとき、前記個々の制御チャネルを受信することに応答して、
エラーイベントを宣言することと、
成功したクリアチャネルアクセス（ＣＣＡ）が前記ＵＥによって検出されると、アップリンク信号のアップリンク送信を開始することと
のうちの１つをさらに備える、Ｃ６４に記載の方法。
［Ｃ６６］
前記アップリンク信号がチャネル使用ビーコン信号（ＣＵＢＳ）である、Ｃ６５に記載の方法。
［Ｃ６７］
前記ジョイント制御チャネルが、前記可変ＴＴＩ送信のために指定される前記複数のアップリンクサブフレームの各々を介して同じトランスポートブロックを送信する旨の前記ＵＥのための指示に関連付けられる、Ｃ５６に記載の方法。
［Ｃ６８］
前記同じトランスポートブロックがアップリンク制御信号とアップリンクデータ信号とのうちの１つまたは複数を含む、Ｃ６７に記載の方法。
［Ｃ６９］
ワイヤレス通信のために構成された装置であって、
１つまたは複数のダウンリンクサブフレーム上で基地局からユーザ機器（ＵＥ）によって、無認可キャリアにおける複数のアップリンクサブフレーム上の可変送信時間間隔（ＴＴＩ）送信のためのジョイント制御チャネルを受信するための手段と、
前記ＵＥによって、前記ジョイント制御チャネルに従って、前記複数のアップリンクサブフレーム上の前記可変ＴＴＩ送信を送信するための手段と
を備える装置。
［Ｃ７０］
ワイヤレスネットワークにおけるワイヤレス通信のためのコンピュータプログラム製品であって、
プログラムコードを記録した非一時的コンピュータ可読媒体を備え、前記プログラムコードが、
コンピュータに、１つまたは複数のダウンリンクサブフレーム上で基地局からユーザ機器（ＵＥ）によって、無認可キャリアにおける複数のアップリンクサブフレーム上の可変送信時間間隔（ＴＴＩ）送信のためのジョイント制御チャネルを受信させるためのプログラムコードと、
前記コンピュータに、前記ＵＥによって、前記ジョイント制御チャネルに従って、前記複数のアップリンクサブフレーム上の前記可変ＴＴＩ送信を送信させるためのプログラムコードと
を含む、コンピュータプログラム製品。
［Ｃ７１］
ワイヤレス通信のために構成された装置であって、
少なくとも１つのプロセッサと、
前記少なくとも１つのプロセッサに結合されたメモリと
を備え、前記少なくとも１つのプロセッサが、
１つまたは複数のダウンリンクサブフレーム上で基地局からユーザ機器（ＵＥ）によって、無認可キャリアにおける複数のアップリンクサブフレーム上の可変送信時間間隔（ＴＴＩ）送信のためのジョイント制御チャネルを受信し、
前記ＵＥによって、前記ジョイント制御チャネルに従って、前記複数のアップリンクサブフレーム上の前記可変ＴＴＩ送信を送信する
ように構成される、装置。
［Ｃ７２］
ワイヤレス通信の方法であって、
基地局によって、無認可キャリアにおける複数のアップリンクサブフレーム上の可変送信時間間隔（ＴＴＩ）送信のための１つまたは複数のユーザ機器（ＵＥ）に対する送信許可を示す制御情報を準備することと、ここにおいて、前記準備することが、
前記送信許可が適用される１つまたは複数のアップリンクコンポーネントキャリアを識別するクロスキャリアスケジューリングインジケータを提供することと、ここにおいて、前記クロスキャリアスケジューリングインジケータが、前記複数のアップリンクサブフレームの各々にわたって適用される、
前記送信許可のためのリソース割振りを提供することと、
前記複数のアップリンクサブフレームの各々についての変調およびコーディング方式ならびに冗長バージョンを提供することと、
新しいアップリンク送信のためにスケジュールされた前記複数のアップリンクサブフレームの各々についての新しいデータインジケータを提供することと、
前記可変ＴＴＩ送信のための送信電力制御信号を提供することと、
前記可変ＴＴＩ送信におけるレイヤ間の直交性を維持するための位相情報を提供することと、
前記基地局からのいくつかの予想される肯定応答を識別するダウンリンク割当て指示を提供することと、
１つまたは複数のチャネル状態要求および１つまたは複数のサウンディング基準信号を提供することとを含み、
前記基地局によって、前記制御情報を前記１つまたは複数のＵＥに送信することと
を備える方法。
［Ｃ７３］
前記リソース割振りが、前記複数のアップリンクサブフレームの各々、または前記複数のアップリンクサブフレームの関連するサブフレームのうちの１つに適用され、ここにおいて、追加のリソース割振りが、前記複数のアップリンクサブフレームのうちの他のものに適用される、Ｃ７２に記載の方法。
［Ｃ７４］
前記リソース割振りが、前記複数のアップリンクサブフレームの以前のサブフレームにおいて割り振られる前記リソースよりも、前記複数のアップリンクサブフレームの後のサブフレームにおいてより大きいサイズのリソースの割振りを提供する、Ｃ７２に記載の方法。
［Ｃ７５］
前記リソース割振りが、前記複数のアップリンクサブフレームのサブフレームにわたるホッピングを示す、Ｃ７２に記載の方法。
［Ｃ７６］
前記送信電力制御信号が、前記複数のアップリンクサブフレームのための単一の電力コマンド、または前記複数の電力コマンドの各々において示される前記電力コマンドが前記複数のアップリンクサブフレームの関連するサブフレームに対応する複数の電力コマンドのうちの１つを示す、Ｃ７２に記載の方法。
［Ｃ７７］
前記位相情報が、前記複数のアップリンクサブフレーム、または前記複数のアップリンクサブフレームの関連するサブフレームのうちの１つにわたって適用される、Ｃ７２に記載の方法。
［Ｃ７８］
前記複数のアップリンクサブフレームの第１のアップリンクサブフレームにおいて、前記複数のアップリンクサブフレームの各々において、前記複数のアップリンクサブフレームの関連するサブフレームにおいて、のうちの１つにおいて、前記１つまたは複数のチャネル状態要求、および１つまたは複数のサウンディング基準信号要求が、前記チャネル状態情報およびサウンディング基準信号の要求された送信を識別する、Ｃ７２に記載の方法。
［Ｃ７９］
ワイヤレス通信のために構成された装置であって、
基地局によって、無認可キャリアにおける複数のアップリンクサブフレーム上の可変送信時間間隔（ＴＴＩ）送信のための１つまたは複数のユーザ機器（ＵＥ）に対する送信許可を示す制御情報を準備するための手段と、ここにおいて、前記準備するための手段が、  前記送信許可が適用される１つまたは複数のアップリンクコンポーネントキャリアを識別するクロスキャリアスケジューリングインジケータを提供するための手段と、ここにおいて、前記クロスキャリアスケジューリングインジケータが、前記複数のアップリンクサブフレームの各々にわたって適用される、
前記送信許可のためのリソース割振りを提供するための手段と、
前記複数のアップリンクサブフレームの各々についての変調およびコーディング方式ならびに冗長バージョンを提供するための手段と、
新しいアップリンク送信のためにスケジュールされた前記複数のアップリンクサブフレームの各々についての新しいデータインジケータを提供するための手段と、
前記可変ＴＴＩ送信のための送信電力制御信号を提供するための手段と、
前記可変ＴＴＩ送信におけるレイヤ間の直交性を維持するための位相情報を提供するための手段と、
前記基地局からのいくつかの予想される肯定応答を識別するダウンリンク割当て指示を提供するための手段と、
１つまたは複数のチャネル状態要求および１つまたは複数のサウンディング基準信号を提供するための手段とを含み、
前記基地局によって、前記制御情報を前記１つまたは複数のＵＥに送信するための手段と
を備える装置。
［Ｃ８０］
ワイヤレスネットワークにおけるワイヤレス通信のためのコンピュータプログラム製品であって、
プログラムコードを記録した非一時的コンピュータ可読媒体を備え、前記プログラムコードが、
コンピュータに、基地局によって、無認可キャリアにおける複数のアップリンクサブフレーム上の可変送信時間間隔（ＴＴＩ）送信のための１つまたは複数のユーザ機器（ＵＥ）に対する送信許可を示す制御情報を準備させるためのプログラムコードと、ここにおいて、前記コンピュータに準備させるための前記プログラムコードが、前記コンピュータに、
前記送信許可が適用される１つまたは複数のアップリンクコンポーネントキャリアを識別するクロスキャリアスケジューリングインジケータを提供させ、ここにおいて、前記クロスキャリアスケジューリングインジケータが、前記複数のアップリンクサブフレームの各々にわたって適用される、
前記送信許可のためのリソース割振りを提供させ、
前記複数のアップリンクサブフレームの各々についての変調およびコーディング方式ならびに冗長バージョンを提供させ、
新しいアップリンク送信のためにスケジュールされた前記複数のアップリンクサブフレームの各々についての新しいデータインジケータを提供させ、
前記可変ＴＴＩ送信のための送信電力制御信号を提供させ、
前記可変ＴＴＩ送信におけるレイヤ間の直交性を維持するための位相情報を提供させ、  前記基地局からのいくつかの予想される肯定応答を識別するダウンリンク割当て指示を提供させ、
１つまたは複数のチャネル状態要求および１つまたは複数のサウンディング基準信号を提供させるためのプログラムコードを含む、
前記コンピュータに、前記基地局によって、前記制御情報を前記１つまたは複数のＵＥに送信させるためのプログラムコードと
を備える、コンピュータプログラム製品。
［Ｃ８１］
ワイヤレス通信のために構成された装置であって、
少なくとも１つのプロセッサと、
前記少なくとも１つのプロセッサに結合されたメモリと
を備え、前記少なくとも１つのプロセッサが、
基地局によって、無認可キャリアにおける複数のアップリンクサブフレーム上の可変送信時間間隔（ＴＴＩ）送信のための１つまたは複数のユーザ機器（ＵＥ）に対する送信許可を示す制御情報を準備し、ここにおいて、前記コンピュータに準備させるための前記プログラムコードが、前記コンピュータに、
前記送信許可が適用される１つまたは複数のアップリンクコンポーネントキャリアを識別するクロスキャリアスケジューリングインジケータを提供させ、ここにおいて、前記クロスキャリアスケジューリングインジケータが、前記複数のアップリンクサブフレームの各々にわたって適用される、
前記送信許可のためのリソース割振りを提供させ、
前記複数のアップリンクサブフレームの各々についての変調およびコーディング方式ならびに冗長バージョンを提供させ、
新しいアップリンク送信のためにスケジュールされた前記複数のアップリンクサブフレームの各々についての新しいデータインジケータを提供させ、
前記可変ＴＴＩ送信のための送信電力制御信号を提供させ、
前記可変ＴＴＩ送信におけるレイヤ間の直交性を維持するための位相情報を提供させ、  前記基地局からのいくつかの予想される肯定応答を識別するダウンリンク割当て指示を提供させ、
１つまたは複数のチャネル状態要求および１つまたは複数のサウンディング基準信号を提供させるためのプログラムコードを含む、
前記基地局によって、前記制御情報を前記１つまたは複数のＵＥに送信する
ように構成される、装置。
［Ｃ８２］
ワイヤレス通信の方法であって、
ユーザ機器（ＵＥ）によって、無認可キャリアにおける複数のアップリンクサブフレーム上の可変送信時間間隔（ＴＴＩ）送信のための基地局からの送信許可を示す制御情報を受信することと、
前記ＵＥによって、前記制御情報を使用して前記可変ＴＴＩ送信を準備することと、ここにおいて、前記制御情報が、
前記送信許可が適用される１つまたは複数のアップリンクコンポーネントキャリアを識別するクロスキャリアスケジューリングインジケータと、ここにおいて、前記クロスキャリアスケジューリングインジケータが、前記複数のアップリンクサブフレームの各々にわたって適用される、
前記送信許可のためのリソース割振りと、
前記複数のアップリンクサブフレームの各々についての変調およびコーディング方式ならびに冗長バージョンと、
新しいアップリンク送信のためにスケジュールされた前記複数のアップリンクサブフレームの各々についての新しいデータインジケータと、
前記可変ＴＴＩ送信のための送信電力制御信号と、
前記可変ＴＴＩ送信におけるレイヤ間の直交性を維持するための位相情報と、
前記基地局からのいくつかの予想される肯定応答を識別するダウンリンク割当て指示と、
１つまたは複数のチャネル状態要求および１つまたは複数のサウンディング基準信号とを含み、
前記ＵＥによって、前記制御情報に従って、前記複数のアップリンクサブフレーム上の前記可変ＴＴＩ送信を送信することと
を備える方法。
［Ｃ８３］
前記リソース割振りが、前記複数のアップリンクサブフレームの各々、または前記複数のアップリンクサブフレームの関連するサブフレームのうちの１つに適用され、ここにおいて、追加のリソース割振りが、前記複数のアップリンクサブフレームのうちの他のものに適用される、Ｃ８２に記載の方法。
［Ｃ８４］
前記リソース割振りが、前記複数のアップリンクサブフレームの以前のサブフレームにおいて割り振られる前記リソースよりも、前記複数のアップリンクサブフレームの後のサブフレームにおいてより大きいサイズのリソースの割振りを提供する、Ｃ８２に記載の方法。
［Ｃ８５］
前記リソース割振りが、前記複数のアップリンクサブフレームのサブフレームにわたるホッピングを示す、Ｃ８２に記載の方法。
［Ｃ８６］
前記送信電力制御信号が、前記複数のアップリンクサブフレームのための単一の電力コマンド、または前記複数の電力コマンドの各々において示される前記電力コマンドが前記複数のアップリンクサブフレームの関連するサブフレームに対応する複数の電力コマンドのうちの１つを示す、Ｃ８２に記載の方法。
［Ｃ８７］
前記位相情報が、前記複数のアップリンクサブフレーム、または前記複数のアップリンクサブフレームの関連するサブフレームのうちの１つにわたって適用される、Ｃ８２に記載の方法。
［Ｃ８８］
前記複数のアップリンクサブフレームの第１のアップリンクサブフレームにおいて、前記複数のアップリンクサブフレームの各々において、前記複数のアップリンクサブフレームの関連するサブフレームにおいて、のうちの１つにおいて、前記１つまたは複数のチャネル状態要求、および１つまたは複数のサウンディング基準信号要求が、前記チャネル状態情報およびサウンディング基準信号の要求された送信を識別する、Ｃ８２に記載の方法。
［Ｃ８９］
前記ＵＥによって、前記１つまたは複数のサウンディング基準信号要求が、サウンディング基準信号が前記複数のアップリンクサブフレームの１つにおいて送信されないことになっていることを示すとき、サブフレームの持続時間の間、物理アップリンクチャネルを送信すること
をさらに備えるＣ８８に記載の方法。
［Ｃ９０］
ワイヤレス通信のために構成された装置であって、
ユーザ機器（ＵＥ）によって、無認可キャリアにおける複数のアップリンクサブフレーム上の可変送信時間間隔（ＴＴＩ）送信のための基地局からの送信許可を示す制御情報を受信するための手段と、
前記ＵＥによって、前記制御情報を使用して前記可変ＴＴＩ送信を準備するための手段と、ここにおいて、前記制御情報が、
前記送信許可が適用される１つまたは複数のアップリンクコンポーネントキャリアを識別するクロスキャリアスケジューリングインジケータと、ここにおいて、前記クロスキャリアスケジューリングインジケータが、前記複数のアップリンクサブフレームの各々にわたって適用される、
前記送信許可のためのリソース割振りと、
前記複数のアップリンクサブフレームの各々についての変調およびコーディング方式ならびに冗長バージョンと、
新しいアップリンク送信のためにスケジュールされた前記複数のアップリンクサブフレームの各々についての新しいデータインジケータと、
前記可変ＴＴＩ送信のための送信電力制御信号と、
前記可変ＴＴＩ送信におけるレイヤ間の直交性を維持するための位相情報と、
前記基地局からのいくつかの予想される肯定応答を識別するダウンリンク割当て指示と、
１つまたは複数のチャネル状態要求および１つまたは複数のサウンディング基準信号とを含み、
前記ＵＥによって、前記制御情報に従って、前記複数のアップリンクサブフレーム上の前記可変ＴＴＩ送信を送信するための手段と
を備える装置。
［Ｃ９１］
ワイヤレスネットワークにおけるワイヤレス通信のためのコンピュータプログラム製品であって、
プログラムコードを記録した非一時的コンピュータ可読媒体を備え、前記プログラムコードが、
コンピュータに、ユーザ機器（ＵＥ）によって、無認可キャリアにおける複数のアップリンクサブフレーム上の可変送信時間間隔（ＴＴＩ）送信のための基地局からの送信許可を示す制御情報を受信させるためのプログラムコードと、
前記コンピュータに、前記ＵＥによって、前記制御情報を使用して前記可変ＴＴＩ送信を準備させるためのプログラムコードと、ここにおいて、前記制御情報が、
前記送信許可が適用される１つまたは複数のアップリンクコンポーネントキャリアを識別するクロスキャリアスケジューリングインジケータと、ここにおいて、前記クロスキャリアスケジューリングインジケータが、前記複数のアップリンクサブフレームの各々にわたって適用される、
前記送信許可のためのリソース割振りと、
前記複数のアップリンクサブフレームの各々についての変調およびコーディング方式ならびに冗長バージョンと、
新しいアップリンク送信のためにスケジュールされた前記複数のアップリンクサブフレームの各々についての新しいデータインジケータと、
前記可変ＴＴＩ送信のための送信電力制御信号と、
前記可変ＴＴＩ送信におけるレイヤ間の直交性を維持するための位相情報と、
前記基地局からのいくつかの予想される肯定応答を識別するダウンリンク割当て指示と、
１つまたは複数のチャネル状態要求および１つまたは複数のサウンディング基準信号とを含み、
前記コンピュータに、前記ＵＥによって、前記制御情報に従って、前記複数のアップリンクサブフレーム上の前記可変ＴＴＩ送信を送信させるためのプログラムコードと
を含む、コンピュータプログラム製品。
［Ｃ９２］
ワイヤレス通信のために構成された装置であって、
少なくとも１つのプロセッサと、
前記少なくとも１つのプロセッサに結合されたメモリと
を備え、前記少なくとも１つのプロセッサが、
ユーザ機器（ＵＥ）によって、無認可キャリアにおける複数のアップリンクサブフレーム上の可変送信時間間隔（ＴＴＩ）送信のための基地局からの送信許可を示す制御情報を受信し、
前記ＵＥによって、前記制御情報を使用して前記可変ＴＴＩ送信を準備し、ここにおいて、前記制御情報が、
前記送信許可が適用される１つまたは複数のアップリンクコンポーネントキャリアを識別するクロスキャリアスケジューリングインジケータと、ここにおいて、前記クロスキャリアスケジューリングインジケータが、前記複数のアップリンクサブフレームの各々にわたって適用される、
前記送信許可のためのリソース割振りと、
前記複数のアップリンクサブフレームの各々についての変調およびコーディング方式ならびに冗長バージョンと、
新しいアップリンク送信のためにスケジュールされた前記複数のアップリンクサブフレームの各々についての新しいデータインジケータと、
前記可変ＴＴＩ送信のための送信電力制御信号と、
前記可変ＴＴＩ送信におけるレイヤ間の直交性を維持するための位相情報と、
前記基地局からのいくつかの予想される肯定応答を識別するダウンリンク割当て指示と、
１つまたは複数のチャネル状態要求および１つまたは複数のサウンディング基準信号とを含み、
前記ＵＥによって、前記制御情報に従って、前記複数のアップリンクサブフレーム上の前記可変ＴＴＩ送信を送信する
ように構成される、装置。
【図１】
0006517191.tif 000005
【図２Ａ】
0006517191.tif 000006
【図２Ｂ】
0006517191.tif 000007
【図３】
0006517191.tif 000008
【図４】
0006517191.tif 000009
【図５】
0006517191.tif 000010
【図６Ａ】
0006517191.tif 000011
【図６Ｂ】
0006517191.tif 000012
【図７】
0006517191.tif 000013
【図８】
0006517191.tif 000014
【図９】
0006517191.tif 000015
【図１０】
0006517191.tif 000016
【図１１Ａ】
0006517191.tif 000017
【図１１Ｂ】
0006517191.tif 000018
【図１２Ａ】
0006517191.tif 000019
【図１２Ｂ】
0006517191.tif 000020
【図１３】
0006517191.tif 000021
【図１４】
0006517191.tif 000022
【図１５】
0006517191.tif 000023
【図１６】
0006517191.tif 000024
【図１７】
0006517191.tif 000025
【図１８】
0006517191.tif 000026
【図１９】
0006517191.tif 000027
【図２０】
0006517191.tif 000028
【図２１】
0006517191.tif 000029
【図２２】
0006517191.tif 000030
【図２３】
0006517191.tif 000031
【図２４】
0006517191.tif 000032
【図２５】
0006517191.tif 000033
【図２６】
0006517191.tif 000034
【図２７】
0006517191.tif 000035
【図２８】
0006517191.tif 000036
【図２９】
0006517191.tif 000037
【図３０】
0006517191.tif 000038
【図３１】
0006517191.tif 000039